(57)【要約】  アクセスネットワーク内に位置管理装置機能を持ち、基地局は端末装置から受信した端末装置の識別情報に基づいて、基地局折り返しの通信が許可された端末装置を識別し認証する。これにより、コアネットワークへの接続性を失った基地局が、特定の端末のみに対して基地局折り返しの通信を許可するための通信制御方法等を提供することとなる。
2016117505.tif 000002
【特許請求の範囲】
【請求項１】
端末装置であって、
前記端末装置はコアネットワークと第１のＰＤＮ（Ｐａｃｋｅｔ Ｄａｔａ Ｎｅｔｗｏｒｋ）コネクションが確立されており、
Ｉｓｏｌａｔｅｄ  Ｅ−ＵＴＲＡＮ機能に基づいた通信が許可された許可情報を記憶し、
前記Ｉｓｏｌａｔｅｄ  Ｅ−ＵＴＲＡＮ機能は、基地局装置がコアネットワークへの接続性がない第１の状態及び／又はコアネットワークへの接続性を制限された第２の状態における、基地局装置又はゲートウェイによるユーザデータの転送機能であり、
前記基地局装置から、前記基地局装置が前記第１の状態及び／または前記第２の状態であることを示す通知メッセージを受信し、
前記通知メッセージに基づき、前記第１のＰＤＮコネクションをデタッチし、
前記基地局装置に少なくとも前記許可情報を含むアタッチ要求メッセージを送信してアタッチ手続きを開始し、
前記アタッチ手続きに基づいて通信路を確立する
ことを特徴とする端末装置。
【請求項２】
前記許可情報は、前記端末装置固有のＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）に含まれた、Ｉｓｏｌａｔｅｄ  Ｅ−ＵＴＲＡＮに基づいた通信が許可されたことを示すＭＣＣ（Ｍｏｂｉｌｅ  Ｃｏｎｔｒｙ  Ｃｏｄｅ）及び／またはＭＮＣ（Ｍｏｂｉｌｅ  Ｎｅｔｗｏｒｋ  Ｃｏｄｅ）である
ことを特徴とする請求項１記載の端末装置。
【請求項３】
前記許可情報は、前記端末装置固有のＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）に含まれた、Ｉｓｏｌａｔｅｄ  Ｅ−ＵＴＲＡＮに基づいた通信が許可されたことを示すＴＡＣ（Ｔｙｐｅ  Ａｌｌｏｃａｔｉｏｎ  Ｃｏｄｅ）である
ことを特徴とする請求項１記載の端末装置。
【請求項４】
前記許可情報は、前記端末装置を識別するＧＵＴＩ（Ｇｌｏｂａｌ  Ｕｎｉｑｕｅ  Ｔｅｍｐｏｒａｒｙ  ＵＥ  Ｉｄｅｎｔｉｔｙ）に含まれた、Ｉｓｏｌａｔｅｄ  Ｅ−ＵＴＲＡＮに基づいた通信が許可されたことを示すＧＵＭＭＥＩ（Ｇｌｏｂａｌ  Ｕｎｉｑｕｅ  ＭＭＥ  Ｉｄｅｎｔｉｔｙ）である
ことを特徴とする請求項１記載の端末装置。
【請求項５】
前記ＧＵＭＭＥＩが空（ＮＵＬＬ）である
ことを特徴とする請求項４に記載の端末装置。
【請求項６】
基地局装置であって、
コアネットワークへの接続性がない第１の状態及び／又はコアネットワークへの接続性を制限された第２の状態であることを示す通知メッセージを端末装置に送信し、
少なくとも許可情報を含むアタッチ要求メッセージを前記端末装置から受信し、
前記許可情報はＩｓｏｌａｔｅｄ  Ｅ−ＵＴＲＡＮ機能に基づいた通信が許可されたことを示す許可情報であり、
前記Ｉｓｏｌａｔｅｄ  Ｅ−ＵＴＲＡＮ機能は、基地局装置がコアネットワークへの接続性がない第１の状態及び／又はコアネットワークへの接続性を制限された第２の状態における、基地局装置又はゲートウェイによるユーザデータの転送機能であり、
前記アタッチ要求メッセージに対する応答メッセージを前記端末装置に送信し、
前記応答メッセージは前記端末装置の通信路を確立することを許可することを示す
ことを特徴とする基地局装置。
【請求項７】
前記許可情報は、前記端末装置固有のＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）に含まれた、Ｉｓｏｌａｔｅｄ  Ｅ−ＵＴＲＡＮに基づいた通信が許可されたことを示すＭＣＣ（Ｍｏｂｉｌｅ  Ｃｏｎｔｒｙ  Ｃｏｄｅ）及び／またはＭＮＣ（Ｍｏｂｉｌｅ  Ｎｅｔｗｏｒｋ  Ｃｏｄｅ）である
ことを特徴とする請求項６記載の基地局装置。
【請求項８】
前記許可情報は、前記端末装置固有のＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）に含まれた、Ｉｓｏｌａｔｅｄ  Ｅ−ＵＴＲＡＮに基づいた通信が許可されたことを示すＴＡＣ（Ｔｙｐｅ  Ａｌｌｏｃａｔｉｏｎ  Ｃｏｄｅ）である
ことを特徴とする請求項６記載の基地局装置。
【請求項９】
前記許可情報は、前記端末装置を識別するＧＵＴＩ（Ｇｌｏｂａｌ  Ｕｎｉｑｕｅ  Ｔｅｍｐｏｒａｒｙ  ＵＥ  Ｉｄｅｎｔｉｔｙ）に含まれた、Ｉｓｏｌａｔｅｄ  Ｅ−ＵＴＲＡＮに基づいた通信が許可されたことを示すＧＵＭＭＥＩ（Ｇｌｏｂａｌ  Ｕｎｉｑｕｅ  ＭＭＥ  Ｉｄｅｎｔｉｔｙ）である
ことを特徴とする請求項６記載の基地局装置。
【請求項１０】
前記ＧＵＭＭＥＩが空（ＮＵＬＬ）である
ことを特徴とする請求項９に記載の基地局装置。
【請求項１１】
端末装置の通信制御方法であって、
前記端末装置はコアネットワークと第１のＰＤＮ（Ｐａｃｋｅｔ Ｄａｔａ Ｎｅｔｗｏｒｋ）コネクションが確立して通信を行うステップと、
Ｉｓｏｌａｔｅｄ  Ｅ−ＵＴＲＡＮ機能に基づいた通信が許可された許可情報を記憶するステップと、
前記Ｉｓｏｌａｔｅｄ  Ｅ−ＵＴＲＡＮ機能は、基地局装置がコアネットワークへの接続性がない第１の状態及び／又はコアネットワークへの接続性を制限された第２の状態における、基地局装置又はゲートウェイによるユーザデータの転送機能であり、
前記基地局装置から、前記基地局装置が前記第１の状態及び／または前記第２の状態であることを示す通知メッセージを受信するステップと、
前記通知メッセージに基づき、前記第１のＰＤＮコネクションをデタッチするステップと、
前記基地局装置に少なくとも前記許可情報を含むアタッチ要求メッセージを送信してアタッチ手続きを開始するステップと、
前記アタッチ手続きに基づいて通信路を確立するステップと
を有することを特徴とする端末装置の通信制御方法。
【請求項１２】
前記許可情報は、前記端末装置固有のＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）に含まれた、Ｉｓｏｌａｔｅｄ  Ｅ−ＵＴＲＡＮに基づいた通信が許可されたことを示すＭＣＣ（Ｍｏｂｉｌｅ  Ｃｏｎｔｒｙ  Ｃｏｄｅ）及び／またはＭＮＣ（Ｍｏｂｉｌｅ  Ｎｅｔｗｏｒｋ  Ｃｏｄｅ）である
ことを特徴とする請求項１１記載の端末装置の通信制御方法。
【請求項１３】
前記許可情報は、前記端末装置固有のＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）に含まれた、Ｉｓｏｌａｔｅｄ  Ｅ−ＵＴＲＡＮに基づいた通信が許可されたことを示すＴＡＣ（Ｔｙｐｅ  Ａｌｌｏｃａｔｉｏｎ  Ｃｏｄｅ）である
ことを特徴とする請求項１１記載の端末装置の通信制御方法。
【請求項１４】
前記許可情報は、前記端末を識別するＧＵＴＩ（Ｇｌｏｂａｌ  Ｕｎｉｑｕｅ  Ｔｅｍｐｏｒａｒｙ  ＵＥ  Ｉｄｅｎｔｉｔｙ）に含まれた、Ｉｓｏｌａｔｅｄ  Ｅ−ＵＴＲＡＮに基づいた通信が許可されたことを示すＧＵＭＭＥＩ（Ｇｌｏｂａｌ  Ｕｎｉｑｕｅ  ＭＭＥ  Ｉｄｅｎｔｉｔｙ）である
ことを特徴とする請求項１１記載の端末装置の通信制御方法。
【請求項１５】
前記ＧＵＭＭＥＩが空（ＮＵＬＬ）である
ことを特徴とする請求項１４記載の端末装置の通信制御方法。
【請求項１６】
基地局装置の通信制御方法であって、
コアネットワークへの接続性がない第１の状態及び／又はコアネットワークへの接続性を制限された第２の状態であることを示す通知メッセージを端末装置に送信するステップと、
少なくとも許可情報を含むアタッチ要求メッセージを前記端末装置から受信するステップと、
前記許可情報はＩｓｏｌａｔｅｄ  Ｅ−ＵＴＲＡＮ機能に基づいた通信が許可されたことを示す許可情報であり、
前記Ｉｓｏｌａｔｅｄ  Ｅ−ＵＴＲＡＮ機能は、基地局装置がコアネットワークへの接続性がない第１の状態及び／又はコアネットワークへの接続性を制限された第２の状態における、基地局装置又はゲートウェイによるユーザデータの転送機能であり、
前記アタッチ要求メッセージに対する応答メッセージを前記端末装置に送信するステップと、
前記応答メッセージは前記端末装置の通信路を確立することを許可することを示す
ことを特徴とする基地局装置の通信制御方法。
【請求項１７】
前記許可情報は、前記端末装置固有のＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）に含まれた、Ｉｓｏｌａｔｅｄ  Ｅ−ＵＴＲＡＮに基づいた通信が許可されたことを示すＭＣＣ（Ｍｏｂｉｌｅ  Ｃｏｎｔｒｙ  Ｃｏｄｅ）及び／またはＭＮＣ（Ｍｏｂｉｌｅ  Ｎｅｔｗｏｒｋ  Ｃｏｄｅ）である
ことを特徴とする請求項１６記載の基地局装置の通信制御方法。
【請求項１８】
前記許可情報は、前記端末装置固有のＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）に含まれた、Ｉｓｏｌａｔｅｄ  Ｅ−ＵＴＲＡＮに基づいた通信が許可されたことを示すＴＡＣ（Ｔｙｐｅ  Ａｌｌｏｃａｔｉｏｎ  Ｃｏｄｅ）である
ことを特徴とする請求項１６記載の基地局装置の通信制御方法。
【請求項１９】
前記許可情報は、前記端末を識別するＧＵＴＩ（Ｇｌｏｂａｌ  Ｕｎｉｑｕｅ  Ｔｅｍｐｏｒａｒｙ  ＵＥ  Ｉｄｅｎｔｉｔｙ）に含まれた、Ｉｓｏｌａｔｅｄ  Ｅ−ＵＴＲＡＮに基づいた通信が許可されたことを示すＧＵＭＭＥＩ（Ｇｌｏｂａｌ  Ｕｎｉｑｕｅ  ＭＭＥ  Ｉｄｅｎｔｉｔｙ）である
ことを特徴とする請求項１６記載の基地局装置の通信制御方法。
【請求項２０】
前記ＧＵＭＭＥＩが空（ＮＵＬＬ）である
ことを特徴とする請求項１９記載の基地局装置の通信制御方法。
【発明の詳細な説明】
【技術分野】
【０００１】
本発明は、基地局装置、端末装置、及び通信制御方法に関する。
【背景技術】
【０００２】
近年の移動通信システムの標準化活動を行う３ＧＰＰ（Ｔｈｅ  ３ｒｄ  Ｇｅｎｅｒａｔｉｏｎ  Ｐａｒｔｎｅｒｓｈｉｐ  Ｐｒｏｊｅｃｔ）では、オールＩＰ化を実現する、非特許文献１に記載のＥＰＳ（Ｅｖｏｌｖｅｄ  Ｐａｃｋｅｔ  Ｓｙｓｔｅｍ）の仕様化を行っている。ＥＰＳは、移動通信事業者等が携帯電話サービスを提供するための移動通信システムであり、ＥＰＣ（Ｅｖｏｌｖｅｄ  Ｐａｃｋｅｔ  Ｃｏｒｅ）と呼ばれるコアネットワークやＬＴＥ（Ｌｏｎｇ  Ｔｅｒｍ  Ｅｖｏｌｕｔｉｏｎ）とよばれる無線通信規格に基づくアクセスネットワーク等を含めて構成されている。【０００３】
さらに、３ＧＰＰのＥＰＳの仕様化の中で、ＩＯＰＳ（Ｉｓｏｌａｔｅｄ  Ｅ−ＵＴＲＡＮ  Ｏｐｅｒａｔｉｏｎ  ｆｏｒ  Ｐｕｂｌｉｃ  Ｓａｆｅｔｙ）の検討を行っている（非特許文献２）。ＩＯＰＳでは、災害などの要因により、コアネットワークとの接続（バックホール）が失われたアクセスネットワーク（Ｉｓｏｌａｔｅｄ  Ｅ−ＵＴＲＡＮ）に接続する端末同士が通信することを目的に、アクセスネットワーク及び／又は端末装置の機能検討を行っている。なお、Ｉｓｏｌａｔｅｄ  Ｅ−ＵＴＲＡＮは一つ又は複数の基地局装置で構成されたアクセスネットワークであり、災害等が起こっていない通常時はコアネットワークへ接続する従来のアクセスネットワークであってよい。【０００４】
これにより、同じアクセスネットワークを構成する基地局の通信圏内に存在する近隣の端末同士に対して、基地局とコアネットワーク間の接続が切断された状態及び／または接続に対して制限が必要な状態においても、近隣端末間の通信を提供することができる。
【先行技術文献】
【非特許文献】
【０００５】
【非特許文献１】３ＧＰＰ  ＴＳ２３．４０１  Ｔｅｃｈｎｉｃａｌ  Ｓｐｅｃｉｆｉｃａｔｉｏｎ  Ｇｒｏｕｐ  Ｓｅｒｖｉｃｅｓ  ａｎｄ  Ｓｙｓｔｅｍ  Ａｓｐｅｃｔｓ、  Ｇｅｎｅｒａｌ  Ｐａｃｋｅｔ  Ｒａｄｉｏ  Ｓｅｒｖｉｃｅ  （ＧＰＲＳ）  ｅｎｈａｎｃｅｍｅｎｔｓ  ｆｏｒ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  （Ｅ−ＵＴＲＡＮ）  ａｃｃｅｓｓ  （Ｒｅｌｅａｓｅ  １２）
【非特許文献２】３ＧＰＰ  ＴＳ  ２２．３４６  Ｔｅｃｈｎｉｃａｌ  Ｓｐｅｃｉｆｉｃａｔｉｏｎ  Ｇｒｏｕｐ  Ｓｅｒｖｉｃｅｓ  ａｎｄ  Ｓｙｓｔｅｍ  Ａｓｐｅｃｔｓ；Ｉｓｏｌａｔｅｄ  Ｅ−ＵＴＲＡＮ  Ｏｐｅｒａｔｉｏｎ  ｆｏｒ  Ｐｕｂｌｉｃ  Ｓａｆｅｔｙ；Ｓｔａｇｅ  １  （Ｒｅｌｅａｓｅ  １３）
【発明の概要】
【発明が解決しようとする課題】
【０００６】
ＩＯＰＳでは、基地局がコアネットワークへ正常に接続している通常状態から、基地局がコアネットワークへの接続を失った状態、またはなんらかの制限をされた状態へ状態遷移することにより、ＩＯＰＳに基づいた基地局折り返しのデータ転送サービスを開始することが検討されている。【０００７】
また、ＩＯＰＳは警察無線や消防署無線などの防災無線（Ｐｕｂｌｉｃ  Ｓａｆｅｔｙ）端末の端末が通信することが想定されている。【０００８】
したがって、Ｉｓｏｌａｔｅｄ  Ｅ−ＵＴＲＡＮへの接続は、全ての端末に対して許可されるものではなく、端末に応じて接続制限や接続認証する必要がある。【０００９】
しかしながら、従来システムでは、端末や加入者に応じた接続制御機能や認証情報管理はコアネットワークが担っている。そのため、現在こうしたＩｓｏｌａｔｅｄＥ−ＵＴＲＡＮへの接続承認手段や、データ通信などのＩｓｏｌａｔｅｄＥ−ＵＴＲＡＮに接続したことで実施可能なサービスに対する承認手段などは明らかになっていない。  本発明は、このような事情を鑑みてなされたもので、その目的は、コアネットワークへの接続状態を失った状態またはコアネットワークへの接続に制限が必要である状態の基地局および／またはアクセスネットワークに端末が接続するための為の好適な手段を提供することである。
【課題を解決するための手段】
【００１０】
本実施形態の基地局装置は、コアネットワークへの接続性がない第１の状態及び／又はコアネットワークへの接続性を制限された第２の状態であることを示す通知メッセージを端末装置に送信し、端末装置からアタッチ要求メッセージを受信し、アタッチ要求メッセージに許可情報が含まれている場合には、アタッチ要求メッセージに対する応答としてアタッチ許可メッセージを端末装置に送信し、許可情報はＩｓｏｌａｔｅｄ  Ｅ−ＵＴＲＡＮ機能に基づいた通信が許可されたことを示す許可情報であり、Ｉｓｏｌａｔｅｄ  Ｅ−ＵＴＲＡＮ機能は、基地局装置がコアネットワークへの接続性がない第１の状態及び／又はコアネットワークへの接続性を制限された第２の状態における、基地局装置又はゲートウェイによるユーザデータの転送機能であり、アタッチ要求メッセージに許可情報が含まれていない場合には、アタッチ要求メッセージに対する応答としてアタッチリジェクトメッセージを端末装置に送信することを特徴とする。【００１１】
本実施形態の端末装置は、アタッチ要求メッセージを基地局装置に送信し、アタッチ要求メッセージに対する応答であり、少なくともＩｓｏｌａｔｅｄ  Ｅ−ＵＴＲＡＮへの接続が許可されていないことを示す理由情報が含まれたアタッチリジェクトメッセージを受信し、Ｉｓｏｌａｔｅｄ  Ｅ−ＵＴＲＡＮは、基地局装置がコアネットワークへの接続性がない第１の状態及び／又はコアネットワークへの接続性を制限された第２の状態のアクセスネットワークであることを特徴する。【００１２】
本実施形態の基地局装置の制御方法は、コアネットワークへの接続性がない第１の状態及び／又はコアネットワークへの接続性を制限された第２の状態であることを示す通知メッセージを端末装置に送信するステップと、端末装置からアタッチ要求メッセージを受信するステップと、アタッチ要求メッセージに許可情報が含まれている場合には、アタッチ要求メッセージに対する応答としてアタッチ許可メッセージを端末装置に送信するステップと、許可情報はＩｓｏｌａｔｅｄ  Ｅ−ＵＴＲＡＮ機能に基づいた通信が許可されたことを示す許可情報であり、Ｉｓｏｌａｔｅｄ  Ｅ−ＵＴＲＡＮ機能は、基地局装置がコアネットワークへの接続性がない第１の状態及び／又はコアネットワークへの接続性を制限された第２の状態における、基地局装置又はゲートウェイによるユーザデータの転送機能であり、アタッチ要求メッセージに許可情報が含まれていない場合には、アタッチ要求メッセージに対する応答としてアタッチリジェクトメッセージを端末装置に送信ステップとを有すること特徴とする。【００１３】
本実施形態の端末装置の通信制御方法は、アタッチ要求メッセージを基地局装置に送信するステップと、アタッチ要求メッセージに対する応答であり、少なくともＩｓｏｌａｔｅｄ  Ｅ−ＵＴＲＡＮへの接続が許可されていないことを示す理由情報が含まれたアタッチリジェクトメッセージを受信するステップとを有し、Ｉｓｏｌａｔｅｄ  Ｅ−ＵＴＲＡＮは、基地局装置がコアネットワークへの接続性がない第１の状態及び／又はコアネットワークへの接続性を制限された第２の状態のアクセスネットワークであることを特徴する。
【発明の効果】
【００１４】
本発明によれば、コアネットワークへの通常の接続を失った基地局装置の通信圏内に存在する端末装置間の通信を、コアネットワークを介さず基地局装置を介した通信で実現することができる。
【図面の簡単な説明】
【００１５】
【図１】移動通信システムの概略を説明するための図である。
【図２】ＩＰ移動通信ネットワークの構成等を説明するための図である。
【図３】ｅＮＢの機能構成を説明するための図である。
【図４】ｅＮＢの記憶部の構成を説明するための図である。
【図５】Ｉ−ＭＭＥの機能構成を説明するための図である。
【図６】状態遷移検出手続きを説明する為の図である。
【図７】状態遷移検出手続きの変形例を説明する為の図である。
【図８】アタッチ手続きを説明する為の図である。
【図９】Ｔｒａｃｋｉｎｇ  Ａｒｅａ  Ｕｐｄａｔｅ手続きを説明する為の図である。
【図１０】拒絶手続きを説明するための図である。
【発明を実施するための形態】
【００１６】
［１．第１の実施形態］
以下、図面を参照しながら本発明の実施形態による無線通信技術について詳細に説明する。
【００１７】
［１．１．システム概要］
図１（ａ）は、本実施形態における移動通信システムの概略を説明するための図である。移動通信システム１にはアクセスネットワークに１又は１つ以上の端末装置が接続されている。例えば本図に示すように、端末装置ＵＥ１０と端末装置ＵＥ２０とがアクセスネットワークに接続している。さらに、アクセスネットワークはコアネットワーク７と接続することができる。なお、本図に示すように、本実施形態においてアクセスネットワークとコアネットワーク７は、バックホール２を用いて接続することができる。ここで、バックホール２とは、インターネットなどの通信手段によりアクセスネットワークとコアネットワーク７へとの間の接続性を提供するネットワークであってよい。
【００１８】
また、本実施形態におけるアクセスネットワークはＩｓｏｌａｔｅｄ  ｃａｐａｂｌｉｔｙ  Ｅ−ＵＴＲＡＮ８０であってよい。
【００１９】
ここで、本実施形態では、バックホール２が正常にアクセスネットワークとコアネットワーク７との接続性を維持している場合におけるアクセスネットワーク又は基地局の状態を通常状態とする。この場合、Ｉｓｏｌａｔｅｄ  ｃａｐａｂｌｉｔｙ  Ｅ−ＵＴＲＡＮ８０は従来のＥ−ＵＴＲＡＮと同様の機能を実行するアクセスネットワークであってよい。
【００２０】
一方、本実施形態では、バックホール２が完全に接続性を失っている状態、又はバックホール２を用いた通信の制限が必要である場合のアクセスネットワーク又は基地局の状態をＩｓｏｌａｔｅｄ  Ｅ−ＵＴＲＡＮ状態とする。Ｉｓｏｌａｔｅｄ  Ｅ−ＵＴＲＡＮ状態では、Ｉｓｏｌａｔｅｄ  Ｅ−ＵＴＲＡＮはＵＥが送信するユーザデータを基地局がアンカー装置となって他のＵＥへ配送する通信制御機能を実行する。
【００２１】
更に、本実施形態では、バックホール２が完全に接続性を失っているアクセスネットワーク又は基地局の状態をＩｓｏｌａｔｅｄ  Ｅ−ＵＴＲＡＮ状態Ａ、バックホール２を用いた通信の制限が必要である場合のアクセスネットワーク又は基地局の状態をＩｓｏｌａｔｅｄ  Ｅ−ＵＴＲＡＮ状態Ｂとする。
【００２２】
ここで、Ｉｓｏｌａｔｅｄ  Ｅ−ＵＴＲＡＮ状態Ｂにおけるバックホール２を用いた通信の制限とは、例えば制御信号のみ許可するような制限であってもよい。又は、制御信号及びユーザデータの両方を、利用者（ユーザ）又はアプリケーションなどに基づいた制限であってもよい。言い換えると、Ｉｓｏｌａｔｅｄ  Ｅ−ＵＴＲＡＮ状態Ｂは、アクセスネットワークとコアネットワーク７との接続性はあるものの、アクセスネットワークとコアネットワーク７との間は通信制御を行うための制御信号の送受信は行うことができるが、端末が送受信するユーザデータの配送は行うことができない状態であってよい。
【００２３】
本実施形態では、このようにＩｓｏｌａｔｅｄ  ｃａｐａｂｌｉｔｙ  Ｅ−ＵＴＲＡＮ８０又は基地局のコアネットワークへの接続性の状態遷移に伴い、端末間の通信を、コアネットワーク７及び／又はＰＤＮ（Ｐａｃｋｅｔ  Ｄａｔａ  Ｎｅｔｗｏｒｋ）を介した通常状態の通信から、Ｉｓｏｌａｔｅｄ  Ｅ−ＵＴＲＡＮ機能に基づいた通信に切り替える際の、通信制御方法を説明する。
【００２４】
なお、本実施形態において、Ｉｓｏｌａｔｅｄ  Ｅ−ＵＴＲＡＮ機能に基づいた通信とは、Ｉｓｏｌａｔｅｄ  Ｅ−ＵＴＲＡＮ状態（Ｉｓｏｌａｔｅｄ  Ｅ−ＵＴＲＡＮ状態Ａ及び／又はＩｓｏｌａｔｅｄ  Ｅ−ＵＴＲＡＮ状態Ｂ）のＩｓｏｌａｔｅｄ  ｃａｐａｂｌｉｔｙ  Ｅ−ＵＴＲＡＮ８０及び／又はこれに含まれる基地局を用いた通信方法であり、コアネットワークを介さずに基地局又はゲートウェイ折り返しによる通信制御機能を意味する。
【００２５】
従って、Ｉｓｏｌａｔｅｄ  Ｅ−ＵＴＲＡＮ機能には、基地局装置がＩｓｏｌａｔｅｄ  Ｅ−ＵＴＲＡＮ状態である場合、端末装置を認証し、ユーザデータを転送するための、基地局及び／又はゲートウェイの機能が少なくとも含まれている。
【００２６】
更に、Ｉｓｏｌａｔｅｄ  Ｅ−ＵＴＲＡＮ機能とは本実施形態で説明する、基地局及び／又はゲートウェイ及び／又は端末装置及び又は位置管理装置のＩｓｏｌａｔｅｄ  Ｅ−ＵＴＲＡＮ状態における処理又は手続きを実行する機能を含んだものでであってよい。
【００２７】
ここで、本実施形態において、ＵＥ１０はＩｓｏｌａｔｅｄ  Ｅ−ＵＴＲＡＮに基づいた通信が許可された端末であり、ＵＥ２０はそれが許可されていない端末である。もしくは、ＵＥ１０はＩｓｏｌａｔｅｄ  Ｅ−ＵＴＲＡＮに接続すること、及び／又はＩｓｏｌａｔｅｄ  Ｅ−ＵＴＲＡＮに接続して通信を行うことが許可された端末装置である。さらに、ＵＥ２０は、ＵＥ１０はＩｓｏｌａｔｅｄ  Ｅ−ＵＴＲＡＮに接続すること、及び／又はＩｓｏｌａｔｅｄ  Ｅ−ＵＴＲＡＮに接続して通信を行うことが許可されていない端末装置である。
【００２８】
また、コアネットワーク７は、移動通信事業者（Ｍｏｂｉｌｅ  Ｏｐｅｒａｔｏｒ）が運用するＩＰ移動通信ネットワークのことである。コアネットワーク７はＰＤＮに接続されている。ＰＤＮとは、接続する端末装置に通信サービスを提供するパケットデータサービス網であり、サービス毎に構成しても良い。
【００２９】
また、Ｉｓｏｌａｔｅｄ  ｃａｐａｂｌｉｔｙ  Ｅ−ＵＴＲＡＮ８０は、ネットワークに含まれる基地局のコアネットワーク７への接続状態に応じてＩｓｏｌａｔｅｄ  Ｅ−ＵＴＲＡＮ機能を実行することができるアクセスネットワークであってよい。より具体的には、通常状態において、Ｉｓｏｌａｔｅｄ  ｃａｐａｂｌｉｔｙ  Ｅ−ＵＴＲＡＮ８０は、コアネットワーク７及び／又はＰＤＮを介した通信を提供する従来のＥ−ＵＴＲＡＮであってもよい。
【００３０】
より具体的には、Ｉｓｏｌａｔｅｄ  ｃａｐａｂｌｉｔｙ  Ｅ−ＵＴＲＡＮ８０又は基地局が通常状態においては、Ｉｓｏｌａｔｅｄ  ｃａｐａｂｌｉｔｙ  Ｅ−ＵＴＲＡＮ８０はＥ−ＵＴＲＡＮであり、Ｉｓｏｌａｔｅｄ  Ｅ−ＵＴＲＡＮ状態においては、Ｉｓｏｌａｔｅｄ  ｃａｐａｂｌｉｔｙ  Ｅ−ＵＴＲＡＮ８０はＩｓｏｌａｔｅｄ  Ｅ−ＵＴＲＡＮ機能を実行するアクセスネットワークであってよい。
【００３１】
もしくは、Ｉｓｏｌａｔｅｄ  ｃａｐａｂｌｉｔｙ  Ｅ−ＵＴＲＡＮ８０は、コアネットワーク７及び／又はＰＤＮを介した通信を提供することができないアクセスネットワークであってもよい。このように、Ｉｓｏｌａｔｅｄ  ｃａｐａｂｌｉｔｙ  Ｅ−ＵＴＲＡＮ８０は、Ｉｓｏｌａｔｅｄ  Ｅ−ＵＴＲＡＮ状態においてのみ、Ｉｓｏｌａｔｅｄ  Ｅ−ＵＴＲＡＮ機能を実行するアクセスネットワークであってもよい。
【００３２】
図１（ｂ）は通常状態のＥ−ＵＴＲＡＮであるＩｓｏｌａｔｅｄ  ｃａｐａｂｌｉｔｙ  Ｅ−ＵＴＲＡＮ８０の構成図である。図に示すように、Ｉｓｏｌａｔｅｄ  ｃａｐａｂｌｉｔｙ  Ｅ−ＵＴＲＡＮ８０は少なくとも一つの基地局ｅＮＢ４５を含み構成する。ｅＮＢ４５はバックホールを介してコアネットワークに接続する、ＬＴＥアクセスシステムにおける無線基地局である。なお、Ｅ−ＵＴＲＡＮ８０は１又は複数のｅＮＢ４５を含んで構成してもよい。
【００３３】
図１（ｃ）はＩｓｏｌａｔｅｄ  Ｅ−ＵＴＲＡＮ状態のＩｓｏｌａｔｅｄ  ｃａｐａｂｌｉｔｙ  Ｅ−ＵＴＲＡＮ８０の構成図である。この場合、Ｉｓｏｌａｔｅｄ  ｃａｐａｂｌｉｔｙ  Ｅ−ＵＴＲＡＮ８０はｅＮＢ４５と、Ｉ−ＭＭＥ（Ｉｓｏｌａｔｅｄ  Ｅ−ＵＴＲＡＮ  ＭＭＥ）４６とＬＧＷ（Ｌｏｃａｌ  ＧＷ）４７とで構成される。
【００３４】
Ｉ−ＭＭＥ４６は、Ｉｓｏｌａｔｅｄ  Ｅ−ＵＴＲＡＮに含まれ、ｅＮＢ４５と組み合わされたＭＭＥ(Ｍｏｂｉｌｉｔｙ  Ｍａｎａｇｅｍｅｎｔ  Ｅｎｔｉｔｙ)の一部機能を含む装置である。図２で詳細は説明するが、通常状態においてはコアネットワーク７に含まれるＭＭＥを用いて、端末装置の位置管理が行われる。なお、Ｉ−ＭＭＥ４６は、Ｉｓｏｌａｔｅｄ  Ｅ−ＵＴＲＡＮ状態においてのみ、端末の位置管理を実行する管理装置であってもよい。
【００３５】
本実施形態では、Ｉｓｏｌａｔｅｄ  ｃａｐａｂｌｉｔｙ  Ｅ−ＵＴＲＡＮ８０にＩ−ＭＭＥ４６は一つ含まれることとするが、Ｉｓｏｌａｔｅｄ  ｃａｐａｂｌｉｔｙ  Ｅ−ＵＴＲＡＮ８０は複数のＩ−ＭＭＥ４６を含めて構成してもよい。また、図において、Ｉ−ＭＭＥ４６はｅＮＢ４５と異なる装置として説明するが、Ｉ−ＭＭＥ４６とｅＮＢ４５は単一の装置として構成されてもよい。例えば、Ｉ−ＭＭＥ４６はｅＮＢ４５に含まれて構成してもよい。
【００３６】
ＬＧＷ４７は、Ｉｓｏｌａｔｅｄ  Ｅ−ＵＴＲＡＮに含まれるゲートウェイ装置である。ここでゲートウェイ機能とは、アクセスネットワーク単体で端末間の通信データを配送するユーザデータの中継機能であってよい。なお、ＬＧＷ４７は、Ｉｓｏｌａｔｅｄ  Ｅ−ＵＴＲＡＮ状態においてのみ、ゲートウェイ機能を実行する管理装置であってもよい。なお、ＬＧＷ４７とｅＮＢ４５は単一の装置として構成されてもよい。例えば、ＬＧＷ４７はｅＮＢ４５に含まれて構成してもよい。さらに、ＬＧＷ４７とＩ−ＭＭＥ４６とｅＮＢ４５は、単一の装置として構成されてもよい。
【００３７】
このように、ＬＧＷ４７はｅＮＢ４５と組み合わされた、通信事業者網を用いずにユーザデータの転送を行う中継装置であってよい。又は、ＬＧＷ４７はｅＮＢ４５とは独立した、ユーザデータの転送を行う中継装置であってもよい。また、ＬＧＷ４７は、Ｉｓｏｌａｔｅｄ  Ｅ−ＵＴＲＡＮ状態の基地局がＩｓｏｌａｔｅｄ  Ｅ−ＵＲＡＮ機能に基づいた通信を行う際にＰＤＮ接続を与えるゲートウェイとして利用することができる。
【００３８】
また、ｅＮＢ４５は、Ｉｓｏｌａｔｅｄ  Ｅ−ＵＴＲＡＮ機能を持つ基地局である。ｅＮＢ４５はｅＮＢ４５の状態遷移又はコアネットワーク７からの通知に伴い、ｅＮＢ４５の属するアクセスネットワークをＥ−ＵＴＲＡＮ又はＩｓｏｌａｔｅｄ  Ｅ−ＵＴＲＡＮに変更するができる。
【００３９】
次に、コアネットワークの構成例を説明する。コアネットワークには、ＨＳＳ（Ｈｏｍｅ  Ｓｕｂｓｃｒｉｂｅｒ  Ｓｅｒｖｅｒ）、ＡＡＡ（Ａｕｔｈｅｎｔｉｃａｔｉｏｎ、  Ａｕｔｈｏｒｉｚａｔｉｏｎ、  Ａｃｃｏｕｎｔｉｎｇ）、ＰＣＲＦ（Ｐｏｌｉｃｙ  ａｎｄ  Ｃｈａｒｇｉｎｇ  Ｒｕｌｅｓ  Ｆｕｎｃｔｉｏｎ）、ＰＧＷ（Ｐａｃｋｅｔ  Ｄａｔａ  Ｎｅｔｗｏｒｋ  Ｇａｔｅｗａｙ）、ｅＰＤＧ（ｅｎｈａｎｃｅｄ  Ｐａｃｋｅｔ  Ｄａｔａ  Ｇａｔｅｗａｙ）、ＳＧＷ（Ｓｅｒｖｉｎｇ  Ｇａｔｅｗａｙ）、ＭＭＥ（Ｍｏｂｉｌｉｔｙ  Ｍａｎａｇｅｍｅｎｔ  Ｅｎｔｉｔｙ）により構成される。こうした装置は、コアネットワーク毎にそれぞれ配置されてもよい。
【００４０】
図２に、ＩＰ移動通信ネットワークを説明するための図を示す。本実施形態では、本図に示すように、コアネットワーク７が、ＨＳＳ５０、ＡＡＡ５５、ＰＣＲＦ６０、ＰＧＷ３０、ｅＰＤＧ６５、ＳＧＷ３５、ＭＭＥ４０により構成される例を中心に説明する。
【００４１】
また、コアネットワーク７は、複数のアクセスネットワーク（Ｉｓｏｌａｔｅｄ  ｃａｐａｂｌｉｔｙ  Ｅ−ＵＴＲＡＮ８０、ＷＬＡＮ  ＡＮｂ７５、ＷＬＡＮ  ＡＮａ７０）に接続することができる。
【００４２】
無線アクセスネットワークは、複数の異なるアクセスネットワークに接続して構成してもよいし、いずれか一つのアクセスネットワークに接続した構成であってもよい。さらに、ＵＥ１０及びＵＥ２０は無線アクセスネットワークに無線接続することができる。
【００４３】
さらに、ＷＬＡＮアクセスシステムで接続可能なアクセスネットワークは、ｅＰＤＧ６５を介してコアネットワークへ接続するＷＬＡＮアクセスネットワークｂ（ＷＬＡＮ  ＡＮｂ７５）と、ＰＧＷ３０とＰＣＲＦ６０とＡＡＡ５５とに接続するＷＬＡＮアクセスネットワークａ（ＷＬＡＮ  ＡＮａ７５）とが構成可能である。
【００４４】
なお、各装置はＥＰＳを利用した移動通信システムにおける従来の装置と同様に構成されるため、詳細な説明は省略する。以下、各装置の簡単な説明をする。
【００４５】
ＰＧＷ３０はＰＤＮ９とＳＧＷ３５とｅＰＤＧ６５とＷＬＡＮ  ＡＮａ７０と、ＰＣＲＦ６０とＡＡＡ５５とに接続されており、ＰＤＮ９とコアネットワーク７のゲートウェイ装置としてユーザデータの転送を行う中継装置である。
【００４６】
ＳＧＷ３５は、ＰＧＷ３０とＭＭＥ４０とＬＴＥ  ＡＮ８０とに接続されており、コアネットワーク７とＬＴＥ  ＡＮ８０とのゲートウェイ装置としてユーザデータの転送を行う中継装置である。
【００４７】
ＭＭＥ４０は、ＳＧＷ３５とＬＴＥ  ＡＮ８０とＨＳＳ５０に接続されており、ＬＴＥ  ＡＮ８０を経由してＵＥ１０の位置情報管理と、アクセス制御を行うアクセス制御装置である。また、コアネットワーク７には、複数の位置管理装置が含まれて構成されてよい。例えば、ＭＭＥ４０とは異なる位置管理装置としてＭＭＥ＿Ｃがコアネットワーク７に構成されてもよい。ＭＭＥ＿ＣはＭＭＥ４０と同様にＳＧ３５とＬＴＥ  ＡＮ８０と、ＨＳＳ５０と接続されてよい。これにより、ＭＭＥ＿ＣとＭＭＥ４０は、ＵＥ１０のコンテキストの送受信を行ってもよい。
【００４８】
ＨＳＳ５０はＭＭＥ４０とＡＡＡ５５とに接続されており、加入者情報の管理を行う管理ノードである。ＨＳＳ５０の加入者情報は、例えばＭＭＥ４０のアクセス制御の際に参照される。
【００４９】
ＡＡＡ５５は、ＰＧＷ３０と、ＨＳＳ５０と、ＰＣＲＦ６０と、ＷＬＡＮ  ＡＮａ７０とに接続されており、ＷＬＡＮ  ＡＮａ７０を経由して接続するＵＥ１０のアクセス制御を行う。
【００５０】
ＰＣＲＦ６０は、ＰＧＷ３０と、ＷＬＡＮ  ＡＮａ７５と、ＡＡＡ５５と、ＰＤＮ９に接続されており、データ配送に対するＱｏＳ管理を行う。例えば、ＵＥ１０とＰＤＮ９間の通信路のＱｏＳの管理を行う。
【００５１】
ｅＰＤＧ６５は、ＰＧＷ３０と、ＷＬＡＮ  ＡＮｂ７５とに接続されており、コアネットワーク７と、ＷＬＡＮ  ＡＮｂ７５とのゲートウェイ装置としてユーザデータの配送を行う。
【００５２】
また、図２（ｂ）に示すように、各無線アクセスネットワークには、ＵＥ１０が実際に接続される装置（例えば、基地局装置やアクセスポイント装置）等が含まれている。接続に用いられる装置は、無線アクセスネットワークに適応した装置が考えられる。
【００５３】
Ｉｓｏｌａｔｅｄ  ｃａｐａｂｌｉｔｙ  Ｅ−ＵＴＲＡＮ８０の詳細に関しては図１（ｂ）及び図１（ｃ）を用いて説明したので詳細は省略する。
【００５４】
ＷＬＡＮ  ＡＮａ７０はＷＬＡＮ  ＡＰａ７２と、ＧＷ（Ｇａｔｅｗａｙ）７４とが含まれて構成される。ＷＬＡＮ  ＡＰａ７２はコアネットワーク７を運営する事業者に対して信頼性のあるＷＬＡＮアクセスシステムでＵＥ１０が接続する無線基地局であり、ＷＬＡＮ  ＡＮａ７０には１又は複数の無線基地局が含まれて構成されてよい。ＧＷ７４はコアネットワーク７とＷＬＡＮ  ＡＮａ７０のゲートウェイ装置である。また、ＷＬＡＮ  ＡＰａ７２とＧＷ７４とは、単一の装置で構成されてもよい。
【００５５】
また、ＷＬＡＮ  ＡＮｂ７５はＷＬＡＮ  ＡＰｂ７６を含んで構成される。ＷＬＡＮ  ＡＰｂ７６はコアネットワーク７を運営する事業者に対して信頼関係が結ばれていない場合に、ＷＬＡＮアクセスシステムでＵＥ１０が接続する無線基地局であり、ＷＬＡＮ  ＡＮｂ７５には１又は複数の無線基地局が含まれて構成されてよい。
【００５６】
このように、ＷＬＡＮ  ＡＮｂ７５はコアネットワーク７に含まれる装置であるｅＰＤＧ６５をゲートウェイとしてコアネットワーク７に接続される。ｅＰＤＧ６５は安全性を確保するためのセキュリティー機能を持つ。
【００５７】
なお、本明細書において、ＵＥ１０及びＵＥ２０が各無線アクセスネットワークに接続されるという事は、各無線アクセスネットワークに含まれる基地局装置やアクセスポイント等に接続される事であり、送受信されるデータや信号等も、基地局装置やアクセスポイントを経由している。
【００５８】
［１．２．装置の構成］
続いて、各装置構成について図を用いて簡単に説明する。
【００５９】
［１．２．１．ｅＮＢの構成］
図３にｅＮＢ４５の構成を示す。本図に示すようにｅＮＢ４５は、ＬＴＥインターフェース部３１０と制御部３００と記憶部３４０により構成される。ＬＴＥインターフェース部３１０と記憶部３４０はバスを介して制御部３００に接続している。
【００６０】
制御部３００はｅＮＢ４５を制御する機能部である。制御部３００は、記憶部３４０に記憶されている各種プログラムを読みだして実行することにより各種処理を実現する。
【００６１】
ＬＴＥインターフェース部３１０は、ｅＮＢ４５が、Ｉ−ＭＭＥ４６及び／又はＬＧＷ４７及び／又はＭＭＥ４０及び／又はＳＧＷ３５と接続するための機能部である。
【００６２】
記憶部３４０は、ｅＮＢ４５の各動作に必要なプログラムや、データなどを記憶する機能部である。記憶部３４０は、例えば、半導体メモリや、ＨＤＤ（Ｈａｒｄ  Ｄｉｓｋ  Ｄｒｉｖｅ）等により構成されている。
【００６３】
また、本図に示すように記憶部３４０には、ＭＭＥリスト３４２と、Ｉｓｏｌａｔｅｄ  Ｅ−ＵＴＲＡＮ機能に基づいた通信許可識別情報３４４と、コアネットワークへの接続状態３４６が記憶されている。
【００６４】
図４に記憶部３４０に含まれる情報要素の一例を示す。図４（ａ）は、ＭＭＥリストに記憶される情報の一例を示す。ＭＭＥリストは、ｅＮＢ４５が接続出来る又は管理するＭＭＥのリストである。図に示すように、ＭＭＥリストは、ＭＭＥの識別情報とＭＭＥが配置されるネットワークとを対応付けた情報であってよい。
【００６５】
ＭＭＥの識別情報は、例えばＧＵＭＭＥＩ（Ｇｌｏｂａｌｌｙ  Ｕｎｉｑｕｅ  ＭＭＥ  ＩＤ）やＭＭＥ  ＩＤであってもよい。
【００６６】
ＭＭＥが配置されるネットワークは、ＭＭＥが配置されているネットワークを識別するものであり、図に示すように「コアネットワーク」又は「アクセスネットワーク」が記憶されていてもよい。
【００６７】
ＭＭＥが配置されるネットワークは、ＭＭＥがコアネットワーク７に含まれるＭＭＥ４０なのか、Ｉｓｏｌａｔｅｄ  ｃａｐａｂｌｉｔｙ  Ｅ−ＵＴＲＡＮに含まれるＩ−ＭＭＥ４６なのかを識別する情報であってよい。
【００６８】
なお、ＭＭＥリストにはアクセスネットワーク内に含まれるＩ−ＭＭＥが複数記憶されていてもよい。また、コアネットワークに含まれるＭＭＥと、アクセスネットワーク内に含まれるＭＭＥとを異なるコンテキストで管理してもよい。
【００６９】
図４（ｂ）はＩｓｏｌａｔｅｄ  Ｅ−ＵＴＲＡＮ機能に基づいた通信許可識別情報の一例を示す。図に示すように、ｅＮＢ４５はＩｓｏｌａｔｅｄ  Ｅ−ＵＴＲＡＮに基づいた通信が許可された端末装置、又はユーザを識別するために識別情報をリスト化し、記憶する。図の一例では、識別情報１、識別情報２、識別情報３で識別されるＵＥ又はユーザはＩｓｏｌａｔｅｄ  Ｅ−ＵＴＲＡＮに基づいた端末であると、ｅＮＢ４５は判断することができる。
【００７０】
より具体的には、識別情報はＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）やＧＵＴＩ（Ｇｌｏｂａｌｌｙ  Ｕｎｉｑｕｅ  Ｔｅｍｐｏｒａｒｙ  Ｉｄｅｎｔｉｔｙ）に含まれるＭＣＣ（Ｍｏｂｉｌｅ  Ｃｏｕｎｔｒｙ  Ｃｏｄｅ：国コード）やＭＮＣ（Ｍｏｂｉｌｅ  Ｎｅｔｗｏｒｋ  Ｃｏｄｅ：オペレータコード）、又はＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｔｙ）に含まれるＴＡＣ（Ｔｙｐｅ  Ａｌｌｏｃａｔｉｏｎ  Ｃｏｄｅ：製造元、機種識別情報）であってよい。更に、ＧＵＴＩに含まれるＭＭＥ  Ｇｒｏｕｐ  ＩＤや、ＭＭＥ  ｃｏｄｅであってよい。また、識別情報は、ＩＭＳＩやＧＵＴＩやＩＭＥＩであってもよい。ｅＮＢ４５はこれらの識別情報を１又は複数記憶してよい。
【００７１】
つまり、Ｉｓｏｌａｔｅｄ  Ｅ−ＵＴＲＡＮ状態のｅＮＢ４５は識別情報をもとに、ＵＥがＩｓｏｌａｔｅｄｅ  Ｅ−ＵＴＲＡＮに基づいた通信が許可されているかどうかを識別する。
【００７２】
図４（ｃ）はｅＮＢ４５又はｅＮＢ４５を含むアクセスネットワークのコアネットワークへの接続状態３４６を示す。コアネットワークの接続状態３４６は、通常状態、又はＩｓｏｌａｔｅｄ  Ｅ−ＵＴＲＡＮ状態を記憶してもよい。又は、Ｉｓｏｌａｔｅｄ  Ｅ−ＵＴＲＡＮ状態ＡとＩｓｏｌａｔｅｄ  Ｅ−ＵＴＲＡＮ状態Ｂを識別する識別情報を含めてもよい。
【００７３】
［１．２．２．Ｉ−ＭＭＥの構成］
次に、Ｉｓｏｌａｔｅｄ  ｃａｐａｂｌｉｔｙ  Ｅ−ＵＴＲＡＮ８０に含まれるＩ−ＭＭＥ４６の構成について説明する。図５（ａ）は、Ｉ−ＭＭＥ４６の構成を示す。本図に示すようにＩ−ＭＭＥ４６は、ＬＴＥインターフェース部５１０と制御部５００と記憶部５４０により構成される。ＬＴＥインターフェース部５１０と記憶部５４０はバスを介して制御部５００に接続している。
【００７４】
制御部５００はＩ−ＭＭＥ４６を制御する機能部である。制御部５００は、記憶部５４０に記憶されている各種プログラムを読みだして実行することにより各種処理を実現する。
【００７５】
ＬＴＥインターフェース部５１０は、Ｉ−ＭＭＥ４６が、ｅＮＢ４５及び／又はＬＧＷ４７及び／又はＭＭＥ４０と接続するための機能部である。
【００７６】
記憶部５４０は、Ｉ−ＭＭＥ４６の各動作に必要なプログラムや、データなどを記憶する機能部である。記憶部３４０は、例えば、半導体メモリや、ＨＤＤ（Ｈａｒｄ  Ｄｉｓｋ  Ｄｒｉｖｅ）等により構成されている。
【００７７】
また、本図に示すように記憶部５４０には、少なくともＭＭＥコンテキスト５２４が記憶されている。
【００７８】
図５（ｂ）にＭＭＥコンテキストに記憶される情報要素を示す。図に示すように、ＭＭＥコンテキスト５４２には、ＵＥごとのＭＭＥコンテキストと、ＰＤＮコネクションごとのＭＭＥコンテキストと、ベアラごとのＭＭＥコンテキストが記憶されている。ＭＭＥコンテキスト４４２は、ＭＭＥ４０が記憶するＭＭＥコンテキストの一部と同期されていてよい。
【００７９】
より具体的には、ＵＥごとに記憶されるＭＭＥコンテキストは、ＩＭＳＩ、ＭＳＩＳＤＮ、ＧＵＴＩ、ＭＥ  Ｉｄｅｎｔｉｔｙ、Ｔｒａｃｋｉｎｇ  Ａｒｅａ  Ｌｉｓｔ、ＴＡＩ  ｏｆ  ｌａｓｔ  ＴＡＵ、ＣＳＧ  ＩＤ、ＣＳＧ  ｍｅｍｂｅｒｓｈｉｐ、Ａｃｃｅｓｓ  ｍｏｄｅ、ＵＥ  Ｒａｄｉｏ  Ａｃｃｅｓｓ  Ｃａｐａｂｉｌｉｔｙ、ＵＥ  Ｎｅｔｗｏｒｋ  Ｃａｐａｂｉｌｉｔｙ、ＵＥ  Ｓｐｅｃｉｆｉｃ  ＤＲＸ  Ｐａｒａｍｅｔｅｒｓ、Ｓｅｌｅｃｔｅｄ  ＮＡＳ  Ａｌｇｏｒｉｔｈｍ、ｅＫＳＩ、Ｋ＿ＡＳＭＥ、ＮＡＳ  Ｋｅｙｓ  ａｎｄ  ＣＯＵＮＴ、Ａｃｃｅｓｓ  Ｒｅｓｔｒｉｃｔｉｏｎ、ＯＤＢ  ｆｏｒ  ＰＳ  ｐａｒａｍｅｔｅｒｓ、ＡＰＮ−ＯＩ  Ｒｅｐｌａｃｅｍｅｎｔ、ＣＳＧ  Ｓｕｂｓｃｒｉｐｔｉｏｎ  Ｄａｔａ、ＬＩＰＡ  Ａｌｌｏｗｅｄ、ＭＰＳ  ＣＳ  ｐｒｉｏｒｉｔｙを含めてもよい。
【００８０】
ＩＭＳＩは、ユーザの永久的な識別情報である。このＩＭＳＩは、ＭＭＥ４０とＨＳＳ５０が記憶するＩＭＳＩと等しくてよい。
【００８１】
ＭＳＩＳＤＮは、ＵＥの電話番号を表す。このＭＳＩＳＤＮＭＭＥ４０が記憶するＭＳＩＳＤＮと等しくてよい。
【００８２】
ＧＵＴＩ（Ｇｌｏｂａｌｌｙ  Ｕｎｉｑｕｅ  Ｔｅｍｐｏｒａｒｙ  Ｉｄｅｎｔｉｔｙ）は、ＵＥの一時的な識別情報である。ＧＵＴＩはＭＭＥの識別情報（ＧＵＭＭＥＩ：Ｇｌｏｂａｌｌｙ  Ｕｎｉｑｕｅ  ＭＭＥ  Ｉｄｅｎｔｉｆｉｅｒ）と特定ＭＭＥ内でのＵＥの識別情報（Ｍ−ＴＭＳＩ）により構成される。このＧＵＭＭＥＩは、ＭＭＥ４０のＧＵＭＭＥＩと異なってよい。または、Ｉ−ＭＭＥ４６とＭＭＥ４０が関連付けられている場合、このＧＵＭＭＥＩはＭＭＥ４０のＧＵＭＭＥＩと等しくてもよい。
【００８３】
ＭＥ  ＩｄｅｎｔｉｔｙはＵＥのＩＤであり、例えば、ＩＭＥＩ／ＩＭＩＳＶであってもよい。ＩＭＥＩやＩＭＩＳＶ等のＭＥ  ＩｄｅｎｔｉｔｙはＭＭＥ４０が記憶するＭＥ  Ｉｄｅｎｔｉｔｙと等しくてよい。
【００８４】
Ｔｒａｃｋｉｎｇ  Ａｒｅａ  Ｌｉｓｔは、ＵＥに割り当てたトラッキングエリア識別情報のリストである。つまり、ＵＥはこのリストに含まれるトラッキングエリアを利用すすることができる。
【００８５】
ＴＡＩ  ｏｆ  ｌａｓｔ  ＴＡＵは、直近のＴＡＵ（Ｔｒａｃｋｉｎｇ  Ａｒｅａ  Ｕｐｄａｔｅ手続き：トラッキングエリア更新手続き）で登録したトラッキングエリア識別情報である。
【００８６】
ＣＳＧ  ＩＤは、直近のＵＥが登録されたＣＳＧ（Ｃｌｏｓｅｄ  Ｓｕｂｓｃｒｉｂｅｒ  Ｇｒｏｕｐ）の識別情報である。このＣＳＧ  ＩＤはＭＭＥ４０が記憶するＣＳＧ  ＩＤと等しくてよい。
【００８７】
ＣＳＧ  ｍｅｍｂｅｒｓｈｉｐは、直近のＵＥのＣＳＧのメンバー情報である。ＣＳＧ  ｍｅｍｂｅｒｓｈｉｐは、ＵＥがＣＳＧメンバーであるかどうかを示す。
【００８８】
Ａｃｃｅｓｓ  ｍｏｄｅはＥＣＧＩで識別されるセルのアクセスモードであり、ＥＣＧＩがＣＳＧとＣＳＧではないＵＥの両方にアクセスを許可するハイブリッドであることを示す識別情報であってもよい。
【００８９】
ＵＥ  Ｒａｄｉｏ  Ａｃｃｅｓｓ  Ｃａｐａｂｉｌｉｔｙは、ＵＥの無線アクセス能力を示す識別情報である。
【００９０】
ＵＥ  Ｎｅｔｗｏｒｋ  Ｃａｐａｂｉｌｉｔｙは、ＵＥにサポートされるセキュリティーのアルゴリズムと鍵派生関数を含める。
【００９１】
ＵＥ  Ｓｐｅｃｉｆｉｃ  ＤＲＸ  Ｐａｒａｍｅｔｅｒｓは、ＵＥのＤＲＸ（Ｄｉｓｃｏｎｔｉｎｕｏｕｓ  Ｒｅｃｅｐｔｉｏｎ）サイクル長を決定するために用いるパラメータである。ここでＤＲＸとは、ＵＥのバッテリーの消費電力をなるべく少なくするために、ある一定時間通信がなければＵＥを低消費電力状態に切り替える機能である。
【００９２】
Ｓｅｌｅｃｔｅｄ  ＮＡＳ  Ａｌｇｏｒｉｔｈｍは、ＮＡＳ（Ｎｏｎ−Ａｃｃｅｓｓ  Ｓｔｒｅａｍ）の選択されたセキュリティーアルゴリズムである。
【００９３】
ｅＫＳＩは、Ｋ＿ＡＳＭＥを示す鍵の集合である。ＵＴＲＡＮ又はＥ−ＵＴＲＡＮのセキュリティー認証により取得したセキュリティー鍵を利用するかどうかを示してもよい。
【００９４】
Ｋ＿ＡＳＭＥは、暗号鍵ＣＫ（Ｃｉｐｈｅｒ  Ｋｅｙ）と完全鍵ＩＫ（Ｉｎｔｅｇｒｉｔｙ  Ｋｅｙ）に基づき生成される、Ｅ−ＵＴＲＡＮの鍵階層化の鍵である。
【００９５】
ＮＡＳ  Ｋｅｙｓ  ａｎｄ  ＣＯＵＮＴは、鍵Ｋ＿ＮＡＳｉｎｔと、鍵Ｋ＿ＮＡＳｅｎｃとＮＡＳ  ＣＯＵＮＴパラメータにより構成される。鍵Ｋ＿ＮＡＳｉｎｔは、ＵＥとＭＭＥ間の暗号化のための鍵であり、鍵Ｋ＿ＮＡＳｅｎｃは、ＵＥとＭＭＥ間の安全性保護のための鍵である。また、ＮＡＳ  ＣＯＵＮＴはＵＥとＭＭＥ間のセキュリティーが確立された、新しい鍵が設定された場合にカウントを開始する、カウントである。
【００９６】
Ａｃｃｅｓｓ  Ｒｅｓｔｒｉｃｔｉｏｎは、アクセス制限の登録情報である。
【００９７】
ＯＤＢ  ｆｏｒ  ＰＳ  ｐａｒａｍｅｔｅｒｓは、ＯＤＢ（ｏｐｅｒａｔｏｒ  ｄｅｔｅｒｍｉｎｅｄ  ｂａｒｒｉｎｇ）の状態を示す。ここでＯＤＢとは、通信事業者（オペレータ）が決定したアクセス規定である。
【００９８】
ＡＰＮ−ＯＩ  Ｒｅｐｌａｃｅｍｅｎｔは、ＤＮＳ解決を実行する為にＰＧＷ  ＦＱＤＮを構築する際の、ＡＰＮに代わるドメイン名である。この代用のドメイン名はすべてのＡＰＮに適応される。
【００９９】
ＣＳＧ  Ｓｕｂｓｃｒｉｐｔｉｏｎ  Ｄａｔａは、ローミング先のＰＬＭＮ（ＶＰＬＭＮ）ＣＳＧ  ＩＤとローミング先の等価ＰＬＭＮの関連リストである。ＣＳＧ  ＩＤごとに、ＣＳＧ  ＩＤの有効期限を示すｅｘｐｉｒａｔｉｏｎ  ｄａｔｅや、有効期限がない事を示すａｂｓｅｎｔ  ｅｘｐｉｒａｔｉｏｎ  ｄａｔｅと関連づけられていてもよい。ＣＳＧ  ＩＤは、ＬＩＰＡを介した特定のＰＤＮ接続に使われてもよい。
【０１００】
ＬＩＰＡ  Ａｌｌｏｗｅｄは、ＵＥはこのＰＬＭＮでＬＩＰＡを使用することが許可されているかどうかを示す。
Ｓｕｂｓｃｒｉｂｅｄ  Ｐｅｒｉｏｄｉｃ  ＲＡＵ／ＴＡＵ  Ｔｉｍｅｒは、定期的なＲＡＵ（Ｒｏｕｔｉｎｇ  Ａｒｅａ  Ｕｐｄａｔｅ）及び／又はＴＡＵ（Ｔｒａｃｋｉｎｇ  Ａｒｅａ  Ｕｐｄａｔｅ）を開始する為のタイマーである。
【０１０１】
ＭＰＳ  ＣＳ  ｐｒｉｏｒｉｔｙは、ＵＥがＣＳドメインでｅＭＬＰＰか１ｘ  ＲＴＴ優先サービスに登録されていることを示す。
【０１０２】
また、ＰＤＮコネクションごとのＭＭＥコンテキストには、ＡＰＮ  ｉｎ  Ｕｓｅ、ＰＤＮ  Ｔｙｐｅ、ＩＰ  Ａｄｄｒｅｓｓ、ＥＰＳ  ＰＤＮ  Ｃｈａｒｇｉｎｇ  Ｃｈａｒａｃｔｅｒｉｓｔｉｃｓ、ＡＰＮ−ＯＩ  Ｒｅｐｌａｃｅｍｅｎｔ、ＳＩＰＴＯ  ｐｅｒｍｉｓｓｉｏｎｓ、Ｌｏｃａｌ  Ｈｏｍｅ  Ｎｅｔｗｏｒｋ  ＩＤ、ＬＩＰＡ  ｐｅｒｍｉｓｓｉｏｎｓ、ＬＧＷ  Ａｄｄｒｅｓｓ  ｉｎ  Ｕｓｅ（制御情報）、Ｐｒｅｓｅｎｃｅ  Ｒｅｐｏｒｔｉｎｇ  Ａｒｅａ  Ａｃｔｉｏｎ、ＥＰＳ  ｓｕｂｓｃｒｉｂｅｄ  ＱｏＳ  ｐｒｏｆｉｌｅ、Ｄｅｆａｕｌｔ  ｂｅａｒｅｒを含めてもよい。
【０１０３】
ＡＰＮ  ｉｎ  Ｕｓｅは、直近で使用されたＡＰＮを示す。このＡＰＮはＡＰＮネットワークの識別情報と、デフォルトのオペレータの識別情報により構成される。
【０１０４】
ＰＤＮ  Ｔｙｐｅは、ＩＰアドレスのタイプを示す。例えば、ＰＤＮ  Ｔｙｐｅは、ＩＰｖ４、ＩＰｖ６又はＩＰｖ４ｖ６を示す。
【０１０５】
ＩＰ  Ａｄｄｒｅｓｓは、ＩＰｖ４アドレスかＩＰｖ６  Ｐｒｅｆｉｘを示す。なお、ＩＰアドレスはＩＰｖ４とＩＰｖ６のｐｒｅｆｉｘの両方を記憶してもよい。
【０１０６】
ＥＰＳ  ＰＤＮ  Ｃｈａｒｇｉｎｇ  Ｃｈａｒａｃｔｅｒｉｓｔｉｃｓは、ＰＤＮコネクションの課金特性を示す。ＥＰＳ  ＰＤＮ  Ｃｈａｒｇｉｎｇ  Ｃｈａｒａｃｔｅｒｉｓｔｉｃｓは例えば、ノーマル、プリペイド、課金率固定、又は即時請求を示してよい。
【０１０７】
ＡＰＮ−ＯＩ  Ｒｅｐｌａｃｅｍｅｎｔは、ＵＥごとに登録されているＡＰＮ−ＯＩ  Ｒｅｐｌａｃｅｍｅｎｔと同様の役割をもつＡＰＮの代理ドメイン名である。ただし、ＵＥごとのＡＰＮ−ＯＩ  Ｒｅｐｌａｃｅｍｅｎｔより優先度が高い。
【０１０８】
ＳＩＰＴＯ  ｐｅｒｍｉｓｓｉｏｎｓはこのＡＰＮを用いたトラフィックのＳＩＰＴＯ（Ｓｅｌｅｃｔｅｄ  ＩＰ  Ｔｒａｆｆｉｃ  Ｏｆｆｌｏａｄ）に対する許可情報を示す。具体的には、ＳＩＰＴＯ  ｐｅｒｍｉｓｓｉｏｎｓは、ＳＩＰＴＯを用いる事を禁止する、又はローカルネットワーク以外でのＳＩＰＴＯの利用を許可する、又はローカルネットワークを含めるネットワークでのＳＩＰＴＯの利用を許可する、又はローカルネットワークのみＳＩＰＴＯの利用を許可する、ことを識別する。
【０１０９】
Ｌｏｃａｌ  Ｈｏｍｅ  Ｎｅｔｗｏｒｋ  ＩＤは、このＰＤＮコネクションにおいてローカルネットワークを用いたＳＩＰＴＯ（ＳＩＰＴＯ＠ＬＮ）の利用が可能である場合、基地局が属するホームネットワークの識別情報を示す。
【０１１０】
ＬＩＰＡ  ｐｅｒｍｉｓｓｉｏｎｓは、このＰＤＮがＬＩＰＡを介したアクセスが可能かどうかを示す識別情報である。具体的には、ＬＩＰＡ  ｐｅｒｍｉｓｓｉｏｎｓは、ＬＩＰＡを許可しないＬＩＰＡ−ｐｒｏｈｉｂｉｔｅｄ、又はＬＩＰＡのみ許可する、ＬＩＰＡ−ｏｎｌｙ、条件によりＬＩＰＡを許可するＬＩＰＡ−ｃｏｎｄｉｔｉｏｎａｌであってよい。
【０１１１】
ＬＧＷ  Ａｄｄｒｅｓｓ  ｉｎ  Ｕｓｅ（制御情報）は、ＬＧＷの直近のＩＰアドレスを示す。このアドレスは制御信号を送信するときに用いられる。
【０１１２】
Ｐｒｅｓｅｎｃｅ  Ｒｅｐｏｒｔｉｎｇ  Ａｒｅａ  Ａｃｔｉｏｎは、ＵＥが存在報告エリア（Ｐｒｅｓｅｎｃｅ  Ｒｅｐｏｒｔｉｎｇ  Ａｒｅａ）に存在するかどうかの変更を通知する必要があることを示す。この情報要素は、存在報告エリアの識別情報と、存在報告エリアに含まれる要素により分かれている。
【０１１３】
ＥＰＳ  ｓｕｂｓｃｒｉｂｅｄ  ＱｏＳ  ｐｒｏｆｉｌｅは、デフォルトベアラに対する、ベアラレベルでのＱｏＳパラメータを示す。
【０１１４】
Ｄｅｆａｕｌｔ  ｂｅａｒｅｒは、このＰＤＮコネクション内のデフォルトベアラを識別するためのＥＰＳベアラ識別情報である。
【０１１５】
また、ベアラごとのＭＭＥコンテキストには、ＥＰＳ  Ｂｅａｒｅｒ  ＩＤ、ＴＩ、ＬＧＷ  ＩＰ  ａｄｄｒｅｓｓ  ｆｏｒ  Ｕ−ｐｌａｎｅ、ＬＧＷ  ＴＥＩＤ  ｆｏｒ  Ｕ−ｐｌａｎｅ、ＥＰＳ  ｂｅａｒｅｒ  ＱｏＳ、ＴＦＴを含めてもよい。
【０１１６】
ＥＰＳ  Ｂｅａｒｅｒ  ＩＤは、Ｅ−ＵＴＲＡＮを介したＵＥ接続に対して、ＥＰＳベアラを識別する唯一の識別情報である。
【０１１７】
ＴＩはＴｒａｎｓａｃｔｉｏｎ  Ｉｄｅｎｔｉｆｉｅｒの略であり、双方向のメッセージフロー（Ｔｒａｎｓａｃｔｉｏｎ）を識別する識別情報である。
【０１１８】
ＬＧＷ  ＴＥＩＤ  ｆｏｒ  Ｕ−ｐｌａｎｅは、ｅＮＢ４５とＬＧＷ間のインターフェースのユーザデータ伝送の為のＬＧＷのＴＥＩＤである。
【０１１９】
ＬＧＷ  ＩＰ  ａｄｄｒｅｓｓ  ｆｏｒ  Ｕ−ｐｌａｎｅは、ｅＮＢ４５とＬＧＷ間のインターフェースのユーザデータ伝送の為のＬＧＷのＩＰアドレスである。
【０１２０】
ＥＰＳ  ｂｅａｒｅｒ  ＱｏＳは、ＱＣＩ（ＱｏＳ  Ｃｌａｓｓ  Ｉｄｅｎｔｉｆｉｅｒ）と、ＡＲＰ（Ａｌｌｏｃａｔｉｏｎ  ａｎｄ  Ｒｅｔｅｎｔｉｏｎ  Ｐｒｉｏｒｉｔｙ）で構成される。ＱＣＩはＱｏＳの属するクラスを示す。ＱｏＳは帯域制御の有無や遅延許容時間、パケットロス率などに応じてクラスを分けられる。ＱＣＩは優先度を示す情報を含める。ＡＲＰは、ベアラを維持することに関する優先度を表す情報である。
【０１２１】
ＴＦＴは、Ｔｒａｆｆｉｃ  Ｆｌｏｗ  Ｔｅｍｐｌａｔｅの略であり、ＥＰＳベアラと関連づけられた全てのパケットフィルターを示す。
【０１２２】
［１．３．処理の説明］
本実施形態では、ＵＥ１０がコアネットワークへの接続性を維持している通常状態のＩｓｏｌａｔｅｄ  ｃａｐａｂｌｅ  Ｅ−ＵＴＲＡＮ８０を介したアタッチ手続きを完了しＰＤＮコネクションが確立された状態において、ＵＥ１０がアクセスネットワークのＩｓｏｌａｔｅｄ  Ｅ−ＵＴＲＡＮ状態への状態遷移を検出し、検出に伴いＩｓｏｌｔｅｄ  Ｅ−ＵＴＲＡＮに対するアタッチ手続き及び／又はＴＡＵ（Ｔｒａｃｋｉｎｇ  Ａｒｅａ  Ｕｐｄａｔｅ）手続きを実行する処理について説明する。
【０１２３】
［１．３．１．状態遷移検出方法］
［１．３．１．１．状態遷移検出方法］
まず、ＵＥ１０がコアネットワークから通知メッセージを受信することに基づいた状態遷移検出方法について説明する。
【０１２４】
本実施形態では、Ｉｓｏｌａｔｅｄ  Ｅ−ＵＴＲＡＮ状態ＡとＩｓｏｌａｔｅｄ  Ｅ−ＵＴＲＡＮ状態を識別してもよい。
【０１２５】
図６は、ＵＥ１０の状態遷移検出のプロシージャ―の一例を示す。図６に示すように、初期状態において、ＵＥ１０は通常状態のＩｓｏｌａｔｅｄ  ｃａｐａｂｉｌｉｔｙ  Ｅ−ＵＴＲＡＮ８０（Ｅ−ＵＴＲＡＮ）を介してＭＭＥ４０を含めるコアネットワーク７とＰＤＮコネクションを確立している（Ｓ６０２）。つまりＵＥ１０はアタッチ手続きを完了している。
【０１２６】
なお、初期状態において確立するこれらのＰＤＮコネクションは、ＵＥ１０とコアネットワークに含まれるＰＧＷ３０との間で確立されるＰＤＮコネクションであってよい。
【０１２７】
この際、Ｉｓｏｌａｔｅｄ  ｃａｐａｂｉｌｉｔｙ  Ｅ−ＵＴＲＡＮ８０は、ＵＥ１０が送信するユーザデータをコアネットワーク７に送信し、コアネットワーク７が送信するＵＥ１０が宛先のユーザデータをＵＥ１０に送信する。通常状態においてＩｓｏｌａｔｅｄ  ｃａｐａｂｌｉｔｙ  Ｅ−ＵＴＲＡＮ８０はこうした転送機能を実行してもよい。
【０１２８】
コアネットワーク７内の各装置の記憶部では、初期状態のアタッチ手続きに含まれる、ＵＥ１０からの制御メッセージに含まれるＩｓｏｌａｔｅｄ  Ｅ−ＵＴＲＡＮに基づいた通信が許可された端末のみが割り与えられる識別情報を、ＵＥ１０の識別情報としてコンテキストに記憶してもよい。
【０１２９】
より具体的には、例えばＵＥ１０はＩｓｏｌａｔｅｄ  Ｅ−ＵＴＲＡＮ機能に基づいた通信が許可された端末に割り当てられるＩＭＳＩ、又はＩＭＥＩ、又はＧＵＴＩを含めてアタッチ要求メッセージをコアネットワーク７に含まれるＭＭＥ４０に送信し、ＭＭＥ４０はメッセージに含まれるＩＭＳＩ、又はＩＭＥＩ、又はＧＵＴＩをＵＥ１０の識別情報として記憶してもよい。
【０１３０】
更に、ＭＭＥ４０は、Ｉｓｏｌａｔｅｄ  Ｅ−ＵＴＲＡＮ機能に基づいた通信が許可されない端末のＭＣＣ及び／又はＭＮＣ及び／又はＴＡＣ及び／又はＭＭＥ  Ｇｒｏｕｐ  ＩＤ及び／又はＭＭＥ  ｃｏｄｅとＩｓｏｌａｔｅｄ  Ｅ−ＵＴＲＡＮ機能に基づいた通信が許可された端末に割り当てられるＭＣＣ及びＭＮＣ及び／又はＴＡＣ及び／又はＭＭＥ  Ｇｒｏｕｐ  ＩＤ及び／又はＭＭＥ  ｃｏｄｅを区別して、ＵＥ１０認証しても良い。
【０１３１】
つまり本実施形態においては、ＭＭＥ４０はＩｓｏｌａｔｅｄ  Ｅ−ＵＴＲＡＮ機能に基づいた通信が許可されたＵＥ１０とＩｓｏｌａｔｅｄ  Ｅ−ＵＴＲＡＮ機能に基づいた通信が許可されていないＵＥ２０を区別して記憶し、認証しても良い。  つまり、ＭＭＥ４０は、複数のＭＣＣ及び／又はＭＮＣ及び／又はＴＡＣ及び／又はＭＭＥ  Ｇｒｏｕｐ  ＩＤ及び／又はＭＭＥ  ｃｏｄｅを識別することができる。
【０１３２】
又は、ＵＥ１０は、Ｉｓｏｌａｔｅｄ  Ｅ−ＵＴＲＡＮ機能に基づいた通信が許可された端末に割り当てられるＩＭＳＩ、又はＩＭＥＩ、又はＧＵＴＩと、Ｉｓｏｌａｔｅｄ  Ｅ−ＵＴＲＡＮ機能に基づいた通信が許可されていないＩＭＳＩ、又はＩＭＥＩ、又はＧＵＴＩを記憶しておき、Ｉｓｏｌａｔｅｄ  ｃａｐａｂｌｉｔｙ  Ｅ−ＵＴＲＡＮ８０の状態に基づいてアタッチ手続きに用いるＵＥ１０の識別情報を選択してもよい。
【０１３３】
ＵＥ２０はＩｓｏｌａｔｅｄ  Ｅ−ＵＴＲＡＮ機能に基づいた通信が許可されていないＩＭＳＩ又はＧＵＴＩ又はＩＭＥＩを用いてコアネットワークにアタッチ要求を送信してもよい。
【０１３４】
なお、Ｅ−ＵＴＲＡＮは、Ｉｓｏｌａｔｅｄ  ｃａｐａｂｌｉｔｙ  Ｅ−ＵＴＲＡＮ８０であってもよいし、Ｉｓｏｌａｔｅｄ  ｃａｐａｂｌｉｔｙ  Ｅ−ＵＴＲＡＮ８０に含まれるｅＮＢ４５であってもよい。
【０１３５】
また、Ｉｓｏｌａｔｅｄ  ｃａｐａｂｌｉｔｙ  Ｅ−ＵＴＲＡＮ８０は初期状態のアタッチ手続きにおいて、ＭＭＥ４０とＩ−ＭＭＥ４６の記憶部に含まれるＵＥ１０に関するＭＭＥコンテキストに含まれる一部の情報を同期してもよい。具体的には、Ｉ−ＭＭＥ４６がＭＭＥ４０から、ＭＭＥコンテキストの一部を取得してもよい。
【０１３６】
ＵＥ１０がＩｓｏｌａｔｅｄ  Ｅ−ＵＴＲＡＮに基づいた通信が許可されていること、又は許可されていることを示す許可情報に基づいて、Ｉ−ＭＭＥ４６はＭＭＥ４０からＭＭＥコンテキストの一部情報を取得してもよい。
【０１３７】
更に、ＭＭＥ４０はＵＥ２０がＩｓｏｌａｔｅｄ  Ｅ−ＵＴＲＡＮ機能に基づいた通信が許可されていない事に基づいて、ＵＥ２０に関するＭＭＥコンテキストをＩ−ＭＭＥ４６と同期しなくてもよい。
【０１３８】
つまり、Ｉ−ＭＭＥ４６を含めるＩｓｏｌａｔｅｄ  ｃａｐａｂｌｉｔｙ  Ｅ−ＵＴＲＡＮ８０はＩｓｏｌａｔｅｄ  Ｅ−ＵＴＲＡＮ機能に基づいた通信が許可された端末に関するＭＭＥコンテキストの一部情報を記憶し、Ｉｓｏｌａｔｅｄ  Ｅ−ＵＴＲＡＮ機能に基づいた通信が許可されない端末に関するＭＭＥコンテキストは記憶しなくてもよい。
【０１３９】
ここでＭＭＥコンテキストの一部情報は、ＩＭＳＩ、ＧＵＴＩ、ＭＳＩＳＤＮ、ＭＥ  Ｉｄｅｎｔｉｔｙ、Ｔｒａｃｋｉｎｇ  Ａｒｅａ  Ｌｉｓｔ、ＴＡＩ  ｏｆ  ｌａｓｔ  ＴＡＵ、ＣＳＧ  ＩＤ、ＣＳＧ  ｍｅｍｂｅｒｓｈｉｐ、Ａｃｃｅｓｓ  ｍｏｄｅ、ＵＥ  Ｓｐｅｃｉｆｉｃ  ＤＲＸ  Ｐａｒａｍｅｔｅｒｓ、ＬＩＰＡ  Ａｌｌｏｗｅｄが含まれていてもよい。
【０１４０】
またはＭＭＥコンテキストの一部情報は、ＩＭＳＩまたはＧＵＴＩに含まれるＭＣＣまたはＭＮＣ、またはＩＭＥＩ（ＭＥ  Ｉｄｅｎｔｉｔｙ）に含まれるＴＡＣ、またはＧＵＴＩに含まれるＭＭＥ  Ｇｒｏｕｐ  ＩＤや、ＭＭＥ  ｃｏｄｅが含まれても良い。
【０１４１】
Ｉｓｏｌａｔｅｄ  ｃａｐａｂｌｉｔｙ  Ｅ−ＵＴＲＡＮ８０は、Ｉｓｏｌａｔｅｄ  Ｅ−ＵＴＲＡＮ状態に遷移した際に接続を許可するＵＥを識別するための識別情報を予め管理してもよい。更に、Ｉｓｏｌａｔｅｄ  ｃａｐａｂｌｉｔｙ  Ｅ−ＵＴＲＡＮ８０は、ＵＥ１０がＩｓｏｌａｔｅｄ  Ｅ−ＵＴＲＡＮ機能に基づいた通信が許可されたＵＥであることを示す許可情報を保持し、許可情報に基づいて接続を許可してもよい。また、許可情報を保持していないＵＥに対しては、接続を拒絶してもよい。
【０１４２】
この時、Ｉｓｏｌａｔｅｄ  Ｅ−ＵＴＲＡＮ機能に基づいた通信が許可されたＵＥであることを示す許可情報は、ＵＥ１０からＩｓｏｌａｔｅｄ  ｃａｐａｂｌｉｔｙ  Ｅ−ＵＴＲＡＮ８０に通知されたものであってよい。
【０１４３】
ＵＥ１０は許可情報を、アタッチ手続きおいてｅＮＢ４５に送信する制御メッセージに含めて通知してもよい。ここで、アタッチ手続きに含まれるＵＥからｅＮＢ４５への制御メッセージは、アタッチ要求メッセージであってもよい。
【０１４４】
もしくは、ＵＥ１０がＩｓｏｌａｔｅｄ  Ｅ−ＵＴＲＡＮ機能に基づいた通信が許可されていることを示す許可情報は、ＭＭＥ４０からＩｓｏｌａｔｅｄ  ｃａｐａｂｌｉｔｙ  Ｅ−ＵＴＲＡＮ８０通知された情報であってもよい。
【０１４５】
具体的には、ＭＭＥ４０はＵＥ１０の識別情報が、Ｉｓｏｌａｔｅｄ  Ｅ−ＵＴＲＡＮ機能に基づいた通信が許可された端末を識別する識別情報であることに基づき通信許可を生成し、Ｉｓｏｌａｔｅｄ  ｃａｐａｂｌｉｔｙ  Ｅ−ＵＴＲＡＮ８０及びＩ−ＭＭＥ４６に通知してもよい。
【０１４６】
又は、アタッチ要求メッセージなどアタッチ手続きに含まれるＵＥ１０からＭＭＥ４０へ送信する制御信号でＵＥ１０がＭＭＥ４０に許可情報を通知し、ＭＭＥ４０は許可情報の受信に基づきＩｓｏｌａｔｅｄ  ｃａｐａｂｌｉｔｙ  Ｅ−ＵＴＲＡＮ８０に許可情報を通知しても良い。
【０１４７】
又は、ＨＳＳ５０はＵＥ１０の加入者情報に紐づけて許可情報を記憶しており、ＨＳＳ５０はＵＥ１０から開始されたアタッチ手続きにおいてＭＭＥ４０に許可情報を通知し、ＭＭＥ４０は許可情報の受信に基づき、ｅＮＢ４５に許可情報を通知してもよい。
【０１４８】
ＭＭＥ４０とＩ−ＭＭＥ４６のコンテキストの同期は、アタッチ手続きに含まれる制御メッセージを用いて実行されてもよいし、又はアタッチ手続きとは異なる独立したメッセージを用いて実行されてもよい。
【０１４９】
ＭＭＥ４０は許可情報に基づいて、Ｉ−ＭＭＥ４６にＩｓｏｌａｔｅｄ  Ｅ−ＵＴＲＡＮ機能に基づいた通信に必要なＵＥ１０の管理情報を転送してもよい。
【０１５０】
Ｉｓｏｌａｔｅｄ  Ｅ−ＵＴＲＡＮ機能に基づいた通信に必要なＵＥ１０の管理情報は、Ｉ−ＭＭＥ４６の記憶部で記憶されるＭＭＥコンテキストの情報であってよい。
【０１５１】
これにより、Ｉ−ＭＭＥ４６を含むＩｓｏｌａｔｅｄ  ｃａｐａｂｌｉｔｙ  Ｅ−ＵＴＲＡＮ８０は、通常状態の時点からＩｓｏｌａｔｅｄ  Ｅ−ＵＴＲＡＮ機能が基づいた通信が許可されたＵＥ１０を記憶することができる。
【０１５２】
Ｉｓｏｌａｔｅｄ  ｃａｐａｂｌｉｔｙ  Ｅ−ＵＴＲＡＮ８０は、バックホール２の接続性が失われた、又はバックホール２を介した通信の制限が必要であるＩｓｏｌａｔｅｄ  Ｅ−ＵＴＲＡＮ状態への状態遷移処理を開始する（Ｓ６０４）。
【０１５３】
この時Ｉｓｏｌａｔｅｄ  Ｅ−ＵＴＲＡＮ状態とは、例えば災害などが要因となり、ｅＮＢ４５からコアネットワークへの接続性が物理的に失われた状態や、移動可能であるｅＮＢ（Ｎｏｒｍａｄｉｃ  ｅＮＢ）が移動により属するＬＴＥアクセスネットワークを変更し、変更先のＬＴＥアクセスネットワークがコアネットワークへの接続がない状態を示す。又は、その他の様々な要因により、ｅＮＢ４５からコアネットワークへの接続性が失われた状態、又は制限が必要である状態を示す。
【０１５４】
状態遷移処理の開始トリガは、例えば、ｅＮＢ４５とＳＧＷ３５間のインターフェース（Ｓ１−Ｕ）の接続性がなくなったことであってもよい。
【０１５５】
又は、状態遷移処理の開始トリガはｅＮＢ４５とＭＭＥ４０間のインターフェース（Ｓ１−ＭＭＥ）の接続性がなくなったことであってもよい。又は、その両方であってもよい。
【０１５６】
これらのトリガの検出に伴いｅＮＢ４５は自動で状態遷移処理を開始してもよい。
【０１５７】
又は、通信事業者（オペレータの運用者）により手動で、ｅＮＢ４５に状態遷移処理を開始させてもよい。
【０１５８】
状態遷移処理ではまず、Ｉｓｏｌａｔｅｄ  ｃａｐａｂｌｉｔｙ  Ｅ−ＵＴＲＡＮ８０は、ＵＥ１０に通知メッセージを送信する（Ｓ６０６）。ここでＩ−ＭＭＥ４６が通知メッセージをＵＥ１０に送信してもよい。
【０１５９】
通知メッセージは、ＵＥ１０にデタッチを要求するメッセージであってよい、及び／又はアタッチ手続きの開始を要求するメッセージであってよい、及び／又はｅＮＢ４５が遷移したいコアネットワーク７への接続状態（Ｉｓｏｌａｔｅｄ  Ｅ−ＵＴＲＡＮ状態Ａ、及び／又はＩｓｏｌａｔｅｄ  Ｅ−ＵＴＲＡＮ状態Ｂ）を通知するメッセージであってよい、及び／又はｅＮＢ４５の通信圏内に現在存在するＵＥのリストを通知するメッセージであってよい。通知メッセージは、これらのうち少なくとも一つの意味をもつメッセ―ジであってよい。又は、これらのメッセージは、個別のメッセージで通知してもよい。
【０１６０】
なお、通知メッセージには、コアネットワークへの接続状態を識別する情報要素を含めてもよい。
【０１６１】
具体的には、通知メッセージにｅＮＢ４５及び／又はＩｓｏｌａｔｅｄ  ｃａｐａｂｌｉｔｙ  Ｅ−ＵＴＲＡＮ８０が遷移したいコアネットワークへの接続状態がＩｓｏｌａｔｅｄ  Ｅ−ＵＴＲＡＮ状態Ａであることを示す識別情報を含めてもよいし、接続状態がＩｓｏｌａｔｅｄ  Ｅ−ＵＴＲＡＮ状態Ｂであることを示す識別情報を含めてもよいし、接続状態がＩｓｏｌａｔｅｄ  Ｅ−ＵＴＲＡＮ状態（Ｉｓｏｌａｔｅｄ  Ｅ−ＵＴＲＡＮ状態Ａ及びＩｓｏｌａｔｅｄ  Ｅ−ＵＴＲＡＮ状態Ｂ）であることを示す識別情報であってもよい。
【０１６２】
また、Ｉｓｏｌａｔｅｄ  ｃａｐａｂｌｉｔｙ  Ｅ−ＵＴＲＡＮ８０はＵＥ１０への通知メッセージに、ｅＮＢ４５の通信圏内に現在存在するＵＥのリストを含めてもよい。例えば、Ｉｓｏｌａｔｅｄ  Ｅ−ＵＴＲＡＮ機能に基づいた通信が許可されたＵＥ３０が通常状態のＬＴＥアクセスネットワークを介してコアネットワーク７と接続している場合、ｅＮＢ４５はその情報を記憶し、Ｓ６０６においてＵＥ１０へ送信する通知メッセージにはＵＥ３０を識別する識別情報を含めてもよい。ｅＮＢ４５はＵＥ３０がＵＥ１０と同じグループに属しているかに基づいて、通知メッセージにＵＥ３０の識別情報を含めてもよい。
【０１６３】
なお、通知メッセージは、従来ＭＭＥからＵＥに送信するデタッチ要求メッセージ（非アクセスレイヤ：レイヤ３）であってもよい。
【０１６４】
さらに、Ｉｓｏｌａｔｅｄ  ｃａｐａｂｌｉｔｙ  Ｅ−ＵＴＲＡＮ８０はＵＥ１０にアタッチが必要であることを示す理由表示（Ｃａｕｓｅ  Ｖａｌｕｅ）を含めたデタッチ要求メッセージを含めて送信してもよい。
【０１６５】
またこの場合、Ｉ−ＭＭＥ４６はＭＭＥの一部の機能として、ＵＥ１０のＭＭＥコンテキストを記憶する機能や、非アクセスレイヤの制御メッセージの送受信を可能とする機能や、ＭＭＥ４０に代わってＵＥ１０にデタッチ要求メッセージを送信する機能を有する。
【０１６６】
又は、Ｓ６０６の通知メッセージがｅＮＢ４５から送信される場合、通知メッセージはレイヤ２レベルのメッセージであって、ＵＥ１０からＵＥコンテキストに含まれるＵＥ１０がコアネットワーク７に接続している状態であることを示す情報を削除することにより無線リソースを解放することを要求するメッセージであってよい。
【０１６７】
例えば、ｅＮＢ４５は通知メッセージにＩｓｏｌａｔｅｄ  Ｅ−ＵＴＲＡＮ機能に基づいた通信が許可されたアプリケーションを識別するアプリケーション識別情報を含み、ＵＥ１０に送信する。
【０１６８】
ここでアプリケーション識別情報は特定のアプリケーションサーバが管理する識別情報であってもよいし、ｅＮＢ４５が管理する識別情報であってもよい。ｅＮＢ４５は、通知メッセージによりアプリケーション識別情報で識別されるアプリケーションに確立された無線リソースの解放を要求する。
【０１６９】
又は、ｅＮＢ４５は通知メッセージにベアラを識別する無線ベアラＩＤを含めてＵＥ１０に送信する。ｅＮＢ４５は、通知メッセージにより無線ベアラＩＤに関する情報を削除する事を要求する。
【０１７０】
なお、ｅＮＢ４５からＵＥ１０へ送信するレイヤ２レベルの通知メッセージはＲＲＣ（Ｒａｄｉｏ  Ｒｅｓｏｕｒｃｅ  Ｃｏｎｔｒｏｌ）接続再確立メッセージであってもよい。
【０１７１】
具体的には、ｅＮＢ４５からＵＥ１０へ送信するレイヤ２レベルの通知メッセージはＲＲＣ接続の制御メッセージあってよい。より具体的には、通知メッセージは無線リソースブロックの確立メッセージや、無線リソース変更メッセージや、無線リソースブロックリリースメッセージであってもよい。
【０１７２】
更に、ｅＮＢ４５は、アタッチが必要であることの理由表示（Ｃａｕｓｅ  Ｖａｌｕｅ）を含めた通知メッセージをＵＥ１０に送信してもよい。
【０１７３】
また、この場合ｅＮＢ４５はＭＭＥの一部の機能をもつ。具体的には、ｅＮＢ４５はＵＥコンテキストを記憶する機能を有する。
【０１７４】
また、ｅＮＢ４５はＭＭＥ４０に代わって、無線リソースブロックの確立メッセージや、無線リソース変更メッセージや、無線リソースブロックリリースメッセージの送信を決定してもよい。例えば、ｅＮＢ４５とＵＥ１０との接続状態がアクティブ状態及び／又はコネクテッド状態の場合、ｅＮＢ４５は無線リソースブロックリリースメッセージの送信を決定してもよい。
【０１７５】
また、Ｉｓｏｌａｔｅｄ  ｃａｐａｂｌｉｔｙ  Ｅ−ＵＴＲＡＮ８０は、Ｉｓｏｌａｔｅｄ  ｃａｐａｂｌｉｔｙ  Ｅ−ＵＴＲＡＮ８０及び／又はｅＮＢ４５がＩｓｏｌａｔｅｄ  Ｅ−ＵＴＲＡＮ状態へ状態遷移処理を開始した事を通知する報知情報をＵＥ１０に送信してもよい。報知情報は、Ｉｓｏｌａｔｅｄ  Ｅ−ＵＴＲＡＮ機能に基づいた通信を許可するベアラを指定するベアラＩＤや、ＴＦＴ、Ｉｓｏｌａｔｅｄ  Ｅ−ＵＴＲＡＮ機能に基づいた通信を許可するアプリケーションの識別情報を含めてもよい。ここで、Ｉｓｏｌａｔｅｄ  ｃａｐａｂｌｉｔｙ  Ｅ−ＵＴＲＡＮ８０は、通知メッセージとして報知情報を送信してもよいし、通知メッセージとは異なるメッセージとして個別に報知情報を送信してもよい。
【０１７６】
ＵＥ１０は、Ｉｓｏｌａｔｅｄ  ｃａｐａｂｌｉｔｙ  Ｅ−ＵＴＲＡＮ８０から通知メッセージを受信する。ＵＥ１０が受信した通知メッセージは、ＵＥ１０にデタッチ及びアタッチ手続きの開始を要求するメッセージであった場合、ＵＥ１０は通知メッセージの受信に基づき、記憶部３４０からＵＥコンテキスト３４２又はベアラリスト３４４を削除する（Ｓ６０８）。
【０１７７】
更に、ＵＥ１０がＩｓｏｌａｔｅｄ  ｃａｐａｂｌｉｔｙ  Ｅ−ＵＴＲＡＮ８０から受信した通知メッセージが、レイヤ２レベルであった場合、ＵＥ１０は、指定された無線リソースを解放する。例えば、メッセージにアプリケーション識別情報が含まれていた場合、識別されるアプリケーションに確立された無線リソースを解放する。又は、メッセージに無線ベアラＩＤが含まれていた場合、ｅＮＢ４５は無線ベアラＩＤに割り当てられた無線リソースを解放する。
【０１７８】
一方、ＵＥ１０がＩｓｏｌａｔｅｄ  ｃａｐａｂｌｉｔｙ  Ｅ−ＵＴＲＡＮ８０から受信した通知メッセージが、ＰＤＮコネクションの識別情報を含めるレイヤ３のメッセージであった場合、ＵＥ１０は、指定されたＰＤＮコネクションに関わるＵＥコンテキストを削除する。更にＵＥ１０はＩｓｏｌａｔｅｄ  ｃａｐａｂｌｉｔｙ  Ｅ−ＵＴＲＡＮ８０に通知メッセージに対する応答メッセージを送信してもよい（Ｓ６１０）。応答メッセージはデタッチが完了したことを通知するメッセージであり、デタッチ応答メッセージである。
【０１７９】
Ｉｓｏｌａｔｅｄ  ｃａｐａｂｌｉｔｙ  Ｅ−ＵＴＲＡＮ８０は、ＵＥ１０から通知メッセージに対する応答メッセージを受信する。
【０１８０】
Ｉｓｏｌａｔｅｄ  ｃａｐａｂｌｉｔｙ  Ｅ−ＵＴＲＡＮ８０がＩｓｏｌａｔｅｄ  Ｅ−ＵＴＲＡＮ状態Ｂに状態遷移した場合、Ｉｓｏｌａｔｅｄ  ｃａｐａｂｌｉｔｙ  Ｅ−ＵＴＲＡＮ８０に含まれるｅＮＢ４５は、ＭＭＥ４０にＵＥ１０から受信した応答メッセージを転送してもよい。ＭＭＥ４０は応答メッセージの受信に基づき、ＵＥ１０の識別情報を記憶部から削除してもよい。又は、タイマーを起動させタイマーのカウントが完了するまで記憶しておき、タイマーのカウントが完了したら、又はＩｓｏｌａｔｅｄ  Ｅ−ＵＴＲＡＮアタッチ手続きのアタッチ要求メッセージをＩｓｏｌａｔｅｄ  ｃａｐａｂｌｉｔｙ  Ｅ−ＵＴＲＡＮ８０から受信した場合には記憶部から削除させてもよい。
【０１８１】
以上の様に、ＵＥ１０がＩｓｏｌａｔｅｄ  ｃａｐａｂｌｅ  Ｅ−ＵＴＲＡＮ８０に、デタッチの完了を通知する応答メッセージを送信する事、及び／又はＩｓｏｌａｔｅｄ  ｃａｐａｂｌｉｔｙ  Ｅ−ＵＴＲＡＮ８０が、ＵＥ１０からの応答メッセージを受信する事、及び／又はＭＭＥ４０がＵＥ１０からの応答メッセージを受信する事、及び／又はＭＭＥ４０のタイマーのカウントの完了がトリガとなり、Ｉｓｏｌａｔｅｄ  ｃａｐａｂｌｅ  Ｅ−ＵＴＲＡＮ８０はＩｓｏｌａｔｅｄ  Ｅ−ＵＴＲＡＮ状態に遷移する。
【０１８２】
以上の手続きにより、ＵＥ１０は状態遷移を検出する。
【０１８３】
［１．３．１．２．状態遷移検出方法変形例］
更に、ＵＥ１０が、Ｉｓｏｌａｔｅｄ  ｃａｐａｂｌｉｔｙ  Ｅ−ＵＴＲＡＮ８０の状態が通常状態からＩｓｏｌａｔｅｄ  Ｅ−ＵＴＲＡＮ状態に遷移した事を検出するための方法の変形例について説明する。
【０１８４】
本変形例において、ＵＥ１０はＭＭＥ４０からの制御メッセージを受信することでＩｓｏｌａｔｅｄ  ｃａｐａｂｌｉｔｙ  Ｅ−ＵＴＲＡＮ８０の状態遷移を検出する。
【０１８５】
図７に、ＵＥ１０の状態遷移検出のプロシージャ―の一例を示す。図６に示すように、初期状態において、ＵＥ１０は通常状態のＩｓｏｌａｔｅｄ  ｃａｐａｂｌｉｔｙ  Ｅ−ＵＴＲＡＮ８０（Ｅ−ＵＴＲＡＮ）を介してＭＭＥ４０を含めるコアネットワーク７とＰＤＮコネクションを確立している（Ｓ７０２）。つまりＵＥ１０は従来のアタッチ手続きを完了している。
【０１８６】
図７のアタッチ手続き（Ｓ７０２）と図６のアタッチ手続き（Ｓ６０２）は同様の手続きであってよい。本変形例における初期条件は、１．３．１．１で説明した条件と同様であるため、詳細な説明は省略する。
【０１８７】
初期状態のアタッチ手続きにおいて、Ｉ−ＭＭＥ４６がＭＭＥ４０からＩｓｏｌａｔｅｄ  Ｅ−ＵＴＲＡＮに基づいた通信に必要な情報を取得している。
【０１８８】
続いて、状態遷移処理を説明する。状態遷移処理ではまず、ｅＮＢ４５を含めるＩｓｏｌａｔｅｄ  ｃａｐａｂｌｉｔｙ  Ｅ−ＵＴＲＡＮ８０は、ＭＭＥ４０を含めるコアネットワーク７に通知メッセージを送信する（Ｓ７０６）。このとき、ｅＮＢ４５からＭＭＥ４０に通知メッセージを送信してもよい。
【０１８９】
Ｉｓｏｌａｔｅｄ  ｃａｐａｂｌｉｔｙ  Ｅ−ＵＴＲＡＮ８０が送信する通知メッセージは、ｅＮＢ４５及び／又はＩｓｏｌａｔｅｄ  ｃａｐａｂｌｉｔｙ  Ｅ−ＵＴＲＡＮ８０が遷移したいコアネットワーク７への接続状態（Ｉｓｏｌａｔｅｄ  Ｅ−ＵＴＲＡＮ状態Ｂ）を通知するメッセージ及び／又はＵＥ１０にデタッチ要求メッセージを送信することを要求するメッセージであってよい。通知メッセージは、これらのうち少なくとも一つの意味をもつメッセ―ジであってよい。又は、これらのメッセージは、個別のメッセージで通知してもよい。
【０１９０】
ＭＭＥ４０を含めるコアネットワーク７は、Ｉｓｏｌａｔｅｄ  ｃａｐａｂｌｉｔｙ  Ｅ−ＵＴＲＡＮ８０から通知メッセージを受信する。通知メッセージには少なくともｅＮＢ４５の通信圏内に存在するＩｓｏｌａｔｅｄ  Ｅ−ＵＴＲＡＮ機能に基づいた通信が許可されたＵＥ１０の識別情報が含まれる。更に、通知メッセージには、ｅＮＢ４５がＩｓｏｌａｔｅｄ  Ｅ−ＵＴＲＡＮ状態Ｂに遷移する手続きを開始した事を示す識別情報が含まれていてもよい。
【０１９１】
また、Ｉｓｏｌａｔｅｄ  ｃａｐａｂｌｉｔｙ  Ｅ−ＵＴＲＡＮ８０及び／又はｅＮＢ４５及び／又はＩ−ＭＭＥ４６は、コアネットワーク７への通知メッセージとは別に、Ｉｓｏｌａｔｅｄ  Ｅ−ＵＴＲＡＮ状態Ｂへ状態遷移処理を開始した事を通知する報知情報をＵＥ１０に送信してもよい。報知情報は、Ｉｓｏｌａｔｅｄ  Ｅ−ＵＴＲＡＮ機能に基づいた通信を許可するベアラを指定するベアラＩＤや、ＴＦＴ、又は、報知情報はＩｓｏｌａｔｅｄ  Ｅ−ＵＴＲＡＮ機能に基づいた通信を許可するアプリケーションの識別情報を含めてもよい。
【０１９２】
ＭＭＥ４０は通知メッセージの受信に基づいて、ＵＥ１０に通知メッセージを送信する（Ｓ７０８）。通知メッセージはＵＥ１０にデタッチを要求するメッセージであってもよい、及び／又はＵＥ１０にアタッチ手続きの開始を要求するメッセージであってよい、及び／又はｅＮＢ４５が遷移したいコアネットワーク７への接続状態（Ｉｓｏｌａｔｅｄ  Ｅ−ＵＴＲＡＮ状態Ｂ）を通知するメッセージであってよい、及び／又はｅＮＢ４５の通信圏内に現在存在するＵＥのリストを通知するメッセージであってよい、及び／又はＴＡＵ手続きの開始を要求するメッセージであってよい、及び／又はＴＡＵ手続きの開始を要求してもよい。通知メッセージは、これらのうち少なくとも一つの意味をもつメッセ―ジであってよい。又は、これらのメッセージは、個別のメッセージで通知してもよい。
【０１９３】
なお、通知メッセージには、コアネットワークへの接続状態を識別する情報要素を含めてもよい。
【０１９４】
以下、通知メッセージがデタッチ要求メッセージであった場合について説明する。
【０１９５】
ＭＭＥ４０はＵＥ１０へのデタッチ要求メッセージに、アタッチが必要であることを示す理由表示（Ｃａｕｓｅ  Ｖａｌｕｅ）を含めてもよい。
【０１９６】
ＭＭＥ４０はデタッチ要求メッセージの送信後、ＳＧＷ３５にデタッチ接続要求を送信することでコアネットワーク内のデタッチ手続きを実行する。
【０１９７】
ＵＥ１０は、ＭＭＥ４０からデタッチ要求メッセージを受信する。デタッチ要求メッセージは、ＵＥ１０にデタッチとアタッチ手続きの開始を要求するメッセージである。ＵＥ１０はデタッチ要求メッセージの受信に基づき、記憶部のＵＥコンテキストを削除する（Ｓ７１０）。
【０１９８】
更に、ＵＥ１０はデタッチ要求メッセージの受信に基づき、ＵＥコンテキストを削除してもよい。更に、ＵＥ１０はデタッチ要求メッセージの受信に基づき、Ｉｓｏｌａｔｅｄ  ｃａｐａｂｌｉｔｙ  Ｅ−ＵＴＲＡＮ８０に通知メッセージに対する応答メッセージを送信してもよい（Ｓ７１２）。応答メッセージはデタッチが完了したことを通知するメッセージであり、デタッチ応答メッセージである。
【０１９９】
Ｉ−ＭＭＥ４０を含めるＩｓｏｌａｔｅｄ  ｃａｐａｂｌｉｔｙ  Ｅ−ＵＴＲＡＮ８０は、ＵＥ１０からデタッチ応答メッセージを受信する。ＭＭＥ４０はデタッチ応答メッセージの受信に基づき、デタッチ手続きを完了させる。
【０２００】
なお、Ｉｓｏｌａｔｅｄ  ｃａｐａｂｌｉｔｙ  Ｅ−ＵＴＲＡＮ８０がＩｓｏｌａｔｅｄ  Ｅ−ＵＴＲＡＮ状態Ｂに遷移する場合、ＭＭＥ４０は、Ｉｓｏｌａｔｅｄ  ｃａｐａｂｌｉｔｙ  Ｅ−ＵＴＲＡＮ８０を介してＵＥ１０からデタッチの応答メッセージを受信する。
【０２０１】
さらに、ｅＮＢ４５はＵＥ１０からデタッチ手続き及び／又はＵＥ１０からの応答メッセージの受信及び／又は応答メッセージの受信に基づきＵＥ１０の識別情報を記憶部から削除してもよい。又は、タイマーを起動させタイマーのカウントが完了するまで記憶しておき、タイマーのカウントが完了したら、又はアタッチ要求メッセージをＵＥ１０から受信した場合には記憶部から削除させてもよい。
【０２０２】
以上の様に、ＵＥ１０がＩｓｏｌａｔｅｄ  ｃａｐａｂｌｅ  Ｅ−ＵＴＲＡＮ８０に、デタッチの完了を通知する応答メッセージを送信する事、及び／又はＩｓｏｌａｔｅｄ  ｃａｐａｂｌｉｔｙ  Ｅ−ＵＴＲＡＮ８０が、ＵＥ１０からの応答メッセージを受信する事、及び／又はＭＭＥ４０がＵＥ１０からの応答メッセージを受信する事、及び／又はＭＭＥ４０のタイマーのカウントの完了がトリガとなり、Ｉｓｏｌａｔｅｄ  ｃａｐａｂｌｅ  Ｅ−ＵＴＲＡＮ８０はＩｓｏｌａｔｅｄ  Ｅ−ＵＴＲＡＮ状態に遷移する。
【０２０３】
以上の方法で、ＵＥ１０は、ｅＮＢ４５及び／又はＩｓｏｌａｔｅｄ  ｃａｐａｂｌｉｔｙ  Ｅ−ＵＴＲＡＮ８０の状態遷移を検出してもよい。
【０２０４】
［１．３．２．アタッチ手続き］
１．３．１．の状態遷移の検出に基づき、及び／又はネットワークからの通知メッセージの受信に基づき、ＵＥ１０はＩｓｏｌａｔｅｄ  Ｅ−ＵＴＲＡＮ機能に基づいた通信のためのＰＤＮコネクションを確立するためのＩｓｏｌａｔｅｄ  Ｅ−ＵＴＲＡＮアタッチ手続きを実行する。
【０２０５】
本実施形態では、通常状態のＩｓｏｌａｔｅｄ  ｃａｐａｂｌｉｔｙ  Ｅ−ＵＴＲＡＮ８０へのアタッチ手続きと区別するためにＩｓｏｌａｔｅｄ  Ｅ−ＵＴＲＡＮへのアタッチ手続きをＩｓｏｌａｔｅｄ  Ｅ−ＵＴＲＡＮアタッチ手続きとする。
【０２０６】
ＵＥ１０がＩｓｏｌａｔｅｄ  Ｅ−ＵＴＲＡＮアタッチ手続きを開始した際、Ｉｓｏｌａｔｅｄ  ｃａｐａｂｌｉｔｙ  Ｅ−ＵＴＲＡＮ８０はＩｓｏｌａｔｅｄ  Ｅ−ＵＴＲＡＮ状態に遷移している。Ｉｓｏｌａｔｅｄ  ｃａｐａｂｌｉｔｙ  Ｅ−ＵＴＲＡＮ８０は、Ｉｓｏｌａｔｅｄ  Ｅ−ＵＴＲＡＮ状態において、ＵＥ１０がＩｓｏｌａｔｅｄ  Ｅ−ＵＴＲＡＮ機能に基づいた通信が許可された端末であることを認証し、Ｉｓｏｌａｔｅｄ  Ｅ−ＵＴＲＡＮ機能に基づいた通信を行うためのＰＤＮコネクションを確立する。
【０２０７】
以下、Ｉｓｏｌａｔｅｄ  Ｅ−ＵＴＲＡＮアタッチ手続きの一例を説明する。
【０２０８】
［１．３．２．１．ＩＭＳＩの拡張］
以下では、Ｉｓｏｌａｔｅｄ  ｃａｐａｂｌｉｔｙ  Ｅ−ＵＴＲＡＮ８０に接続可能な端末及び／又はＩｓｏｌａｔｅｄ  Ｅ−ＵＴＲＡＮ機能に基づいた通信が許可された端末を識別するＩＭＳＩを用いたＩｓｏｌａｔｅｄ  Ｅ−ＵＴＲＡＮアタッチ手続きを説明する。
【０２０９】
より具体的には、ＩＭＳＩを構成するＭＣＣ及び／又はＭＮＣがＩｓｏｌａｔｅｄ  Ｅ−ＵＴＲＡＮ機能が許可された端末装置に割り与えられるコードであってもよい。
【０２１０】
ｅＮＢ４５は１．３．１．１．で説明したように、通常状態において、Ｉｓｏｌａｔｅｄ  ｃａｐａｂｌｉｔｙ  Ｅ−ＵＴＲＡＮ８０に接続可能な端末及び／又はＩｓｏｌａｔｅｄ  Ｅ−ＵＴＲＡＮ機能に基づいた通信が許可された端末の情報をコアネットワーク７から取得し、記憶部に記憶しておいてもよい。より具体的には、これらの端末のＩＭＳＩを記憶しておいても良い。もしくは、端末個別のＩＭＳＩではなく、Ｉｓｏｌａｔｅｄ  ｃａｐａｂｌｉｔｙ  Ｅ−ＵＴＲＡＮ８０に接続可能な端末及び／又はＩｓｏｌａｔｅｄ  Ｅ−ＵＴＲＡＮ機能に基づいた通信が許可されたＭＣＣ及び／又はＭＮＣを記憶しても良い。
【０２１１】
ＵＥ１０は１．３．１の状態遷移の検出に基づいて、Ｉｓｏｌａｔｅｄ  ｃａｐａｂｌｉｔｙ  Ｅ−ＵＴＲＡＮ８０にアタッチ要求メッセージを送信する（Ｓ８０２）。アタッチ要求メッセージには、ＩＭＳＩが少なくとも含まれている。更にアタッチ要求メッセージには、ＡＰＮや、Ａｔｔａｃｈ  Ｔｙｐｅや、ＰＤＮ  Ｔｙｐｅが含まれていてもよい。
【０２１２】
ＩＭＳＩは、Ｉｓｏｌａｔｅｄ  ｃａｐａｂｌｉｔｙ  Ｅ−ＵＴＲＡＮ８０に接続可能な端末及び／又はＩｓｏｌａｔｅｄ  Ｅ−ＵＴＲＡＮ機能に基づいた通信が許可された端末を識別するＩＭＳＩであってもよい。なお、ＩＭＳＩは、Ｉｓｏｌａｔｅｄ  ｃａｐａｂｌｉｔｙ  Ｅ−ＵＴＲＡＮ８０に接続可能な端末及び／又はＩｓｏｌａｔｅｄ  Ｅ−ＵＴＲＡＮ機能に基づいた通信が許可されたＭＣＣ及び／又はＭＮＣを含めたＩＭＳＩであってよい。
【０２１３】
ここで、ＵＥ１０は、Ｉｓｏｌａｔｅｄ  ｃａｐａｂｌｉｔｙ  Ｅ−ＵＴＲＡＮ８０に接続可能な端末及び／又はＩｓｏｌａｔｅｄ  Ｅ−ＵＴＲＡＮ機能に基づいた通信が許可された端末を識別するＩＭＳＩと、Ｉｓｏｌａｔｅｄ  ｃａｐａｂｌｉｔｙ  Ｅ−ＵＴＲＡＮ８０に接続可能な端末及び／又はＩｓｏｌａｔｅｄ  Ｅ−ＵＴＲＡＮ機能に基づいた通信が許可されていないＩＭＳＩを記憶しておいても良く、Ｉｓｏｌａｔｅｄ  Ｅ−ＵＴＲＡＮ状態を検出したことに基づいて、ＩＭＳＩを選択してもよい。ここで、ＵＥ１０は、Ｉｓｏｌａｔｅｄ  ｃａｐａｂｌｉｔｙ  Ｅ−ＵＴＲＡＮ８０に接続可能な端末及び／又はＩｓｏｌａｔｅｄ  Ｅ−ＵＴＲＡＮ機能に基づいた通信が許可された端末を識別するＩＭＳＩを選択してもよい。
【０２１４】
Ａｔｔａｃｈ  ＴｙｐｅにＩｓｏｌａｔｅｄ  Ｅ−ＵＴＲＡＮアタッチ手続きを識別するための情報を含めてもよい。
【０２１５】
ＡＰＮは初期状態のアタッチ手続きで使用されたＡＰＮと等しくてもよい。
【０２１６】
なお、ＵＥ１０がＩｓｏｌａｔｅｄ  Ｅ−ＵＴＲＡＮ機能に基づいた通信が許可された端末を識別するためのＩＭＳＩを記憶していない場合、ＵＥ１０はアタッチ要求を送信しなくてもよい。
【０２１７】
Ｉｓｏｌａｔｅｄ  ｃａｐａｂｌｉｔｙ  Ｅ−ＵＴＲＡＮ８０はＵＥ１０からアタッチ要求メッセージを受信する。Ｉｓｏｌａｔｅｄ  ｃａｐａｂｌｉｔｙ  Ｅ−ＵＴＲＡＮ８０に含まれるｅＮＢ４５がアタッチ要求メッセージを受信してもよい。
【０２１８】
ｅＮＢ４５は記憶部のＩｓｏｌａｔｅｄ  Ｅ−ＵＴＲＡＮ機能に基づいた通信許可識別情報に基づき、メッセージの送信元ＵＥ１０がＩｓｏｌａｔｅｄ  Ｅ−ＵＴＲＡＮ機能に基づいた通信が許可された端末であると認証する為の認証手続きを実行する（Ｓ８０４）。
【０２１９】
つまり、ｅＮＢ４５はＵＥ１０からの受信メッセージに含まれるＩＭＳＩを構成するＭＣＣ又はＭＮＣがＩｓｏｌａｔｅｄ  Ｅ−ＵＴＲＡＮ機能に基づいた通信が許可された端末であることを識別する情報であることを基に、ＵＥ１０からのＩｓｏｌａｔｅ  Ｅ−ＵＴＲＡＮアタッチ要求を認証するための手続きを開始する。
【０２２０】
ｅＮＢ４５は認証処理において、Ｉ−ＭＭＥ４６を選択してもよい。Ｉ−ＭＭＥ４６の選択方法は、例えばｅＮＢ４５との物理的な距離に基づいて決定してもよい。具体的には、ｅＮＢ４５から最も近いＩ−ＭＭＥ４６を選択してもよい。もしくは、ｅＮＢ４５は、Ｉｓｏｌａｔｅｄ  Ｅ−ＵＴＲＡＮ状態において選択するＭＭＥの情報を予め保持しておき、保持する情報に基づいてＩ−ＭＭＥ４６を選択してもよい。
【０２２１】
ｅＮＢ４５は選択したＩ−ＭＭＥ４６にアタッチ要求メッセージを転送する。Ｉ−ＭＭＥ４６はｅＮＢ４５からアタッチ要求メッセージを受信し、Ｉｓｏｌａｔｅｄ  Ｅ−ＵＴＲＡＮ機能に基づいた通信許可識別情報に基づき、メッセージの送信元ＵＥ１０がＩｓｏｌａｔｅｄ  Ｅ−ＵＴＲＡＮ機能に基づいた通信が許可された端末であると認証する。
【０２２２】
Ｉ−ＭＭＥ４６は、１．３．１．１．で説明したように、通常状態において、Ｉｓｏｌａｔｅｄ  ｃａｐａｂｌｉｔｙ  Ｅ−ＵＴＲＡＮ８０に接続可能な端末及び／又はＩｓｏｌａｔｅｄ  Ｅ−ＵＴＲＡＮ機能に基づいた通信が許可された端末の情報をコアネットワーク７から取得し、記憶部に記憶しておいてもよい。より具体的には、これらの端末のＩＭＳＩを記憶しておいても良い。もしくは、端末個別のＩＭＳＩではなく、Ｉｓｏｌａｔｅｄ  ｃａｐａｂｌｉｔｙ  Ｅ−ＵＴＲＡＮ８０に接続可能な端末及び／又はＩｓｏｌａｔｅｄ  Ｅ−ＵＴＲＡＮ機能に基づいた通信が許可されたＭＣＣ及び／又はＭＮＣを記憶しても良い。
【０２２３】
もしくは、Ｉ−ＭＭＥ４６は、１．３．１．１．に記載した方法により取得した、Ｉｓｏｌａｔｅｄ  ｃａｐａｂｌｉｔｙ  Ｅ−ＵＴＲＡＮ８０に接続及び／又はＩｓｏｌａｔｅｄ  Ｅ−ＵＴＲＡＮ機能に基づいた通信を許可するＭＣＣ及び／又はＭＮＣ及び／又はＴＡＣ及び／又はＭＭＥ  Ｇｒｏｕｐ  ＩＤ及び／又はＭＭＥ  ｃｏｄｅに基づいて、ＵＥ１０の認証を決定しても良い。
【０２２４】
より詳細には、ＵＥ２０がアタッチ要求メッセージ又はＴＡＵ要求メッセージに含めて送信するＩＭＳＩに含まれるＭＣＣ及び／又はＭＮＣが、Ｉｓｏｌａｔｅｄ  ｃａｐａｂｌｉｔｙ  Ｅ−ＵＴＲＡＮ８０に接続及び／又はＩｓｏｌａｔｅｄ  Ｅ−ＵＴＲＡＮ機能に基づいた通信を許可するＭＣＣ及び／又はＭＮＣであることに基づいて認証しないを決定しても良い。
【０２２５】
このように、Ｉ−ＭＭＥ４６は、ＭＭＥ４０から取得した情報に基づいて、アタッチ要求メッセージを送信する端末に対して、Ｉｓｏｌａｔｅｄ  ｃａｐａｂｌｉｔｙ  Ｅ−ＵＴＲＡＮ８０に接続及び／又はＩｓｏｌａｔｅｄ  Ｅ−ＵＴＲＡＮ機能に基づいた通信を認証してもよい。
【０２２６】
さらに、Ｉ−ＭＭＥ４６は、アタッチ要求メッセージの受信に伴い、ＬＧＷ４７の選択をする。
【０２２７】
Ｉ−ＭＭＥ４６は選択したＬＧＷ４７に、セッション確立メッセージを送信し、ＬＧＷ４７にＵＥ１０の管理情報を記憶することを要求する。
【０２２８】
メッセージには、ＵＥ１０のＩＭＳＩや、ＭＳＩＳＤＮや、制御信号用のＩ−ＭＭＥ４６のＴＥＩＤや、ＡＰＮや、ＱｏＳや、ＰＤＮ  Ｔｙｐｅや、ＭＥ  Ｉｄｅｎｔｉｔｙなどを含めてもよい。
【０２２９】
ＬＧＷ４７は、Ｉ−ＭＭＥ４６のセッション確立要求メッセージの受信に基づき、ＬＧＷ４７が管理するＵＥ１０の管理情報を更新してもよい。さらに、ＵＥ１０に対してＩＰアドレスを割り当てる。
【０２３０】
次に、ＬＧＷ４７はＩ−ＭＭＥ４６にセッション確立応答メッセージを送信する。応答メッセージには、ＵＥ１０のＩＰアドレスや、ＬＧＷのＩＰアドレス、ＬＧＷのＴＥＩＤなどを含めてもよい。
【０２３１】
Ｉ−ＭＭＥ４６は、ＬＧＷ４７から受信したメッセージを基にｅＮＢ４５にアタッチアクセプトメッセージを送信する。  以上の手続きを完了後、Ｉ−ＭＭＥ４６を含めるＩｓｏｌａｔｅｄ  ｃａｐａｂｌｉｔｙ  Ｅ−ＵＴＲＡＮ８０はＵＥ１０にアタッチアクセプトメッセージを送信する（Ｓ８０６）。アタッチアクセプトメッセージはＩ−ＭＭＥ４６がｅＮＢ４５を介してＵＥ１０に送信する制御メッセージであってよい。
【０２３２】
ここで、アタッチアクセプトメッセージは、Ｉｓｏｌａｔｅｄ  ｃａｐａｂｌｉｔｙ  Ｅ−ＵＴＲＡＮ８０に接続及び／又はＩｓｏｌａｔｅｄ  Ｅ−ＵＴＲＡＮ機能に基づいた通信を認証したことを示す制御情報であってよい。もしくは、Ｉｓｏｌａｔｅｄ  Ｅ−ＵＴＲＡＮ状態で通信可能なＰＤＮコネクションを確立したことを示すメッセージであっても良い。
【０２３３】
この時、Ｉ−ＭＭＥ４７がセッション確立応答メッセージの受信に基づいて、ｅＮＢ４５を介してＵＥ１０にアタッチアクセプトメッセージを送信してもよい。
【０２３４】
アタッチアクセプトメッセージには、ＡＰＮやＧＵＴＩやＰＤＮアドレスを含めてもよい。
【０２３５】
ＡＰＮはＵＥ１０が要求したＡＰＮであってもよいし、又は新しいＡＰＮが割り与えられてもよい。
【０２３６】
ＧＵＴＩは、Ｉ−ＭＭＥ４６が割り当てたＵＥ１０の一時的な識別情報である。
【０２３７】
ＰＤＮアドレスは、ＬＧＷ４７がＵＥ１０に割り当てたＩＰアドレスである。初期状態のアタッチ手続きにおいてＰＧＷがＵＥ１０に割り当てたＩＰアドレスと等しくてもよい。
【０２３８】
この時、Ｉ−ＭＭＥ４６はｅＮＢ４５へ送信するアタッチアクセプトメッセージに、ＬＧＷ４７のＩＰアドレス及びＴＥＩＤを含めてもよい。ｅＮＢ４５はアタッチアクセプトメッセージに含まれるＬＧＷ４７のＩＰアドレスとＴＥＩＤを取得し、記憶部に記憶する。
【０２３９】
Ｉｓｏｌａｔｅｄ  ｃａｐａｂｌｉｔｙ  Ｅ−ＵＴＲＡＮ８０がＵＥ１０に送信するアタッチアクセプトメッセージは、レイヤ２のＲＲＣ接続再確立メッセージであってもよい。
【０２４０】
ＵＥ１０は従来のアタッチ手続きと同様に、アタッチアクセプトメッセージの受信に伴い、ＲＲＣ再構成完了メッセージと、アタッチ完了メッセージをＩｓｏｌａｔｅｄ  ｃａｐａｂｌｉｔｙ  Ｅ−ＵＴＲＡＮ８０に送信する。
【０２４１】
以上により、Ｉｓｏｌａｔｅｄ  Ｅ−ＵＴＲＡＮ機能に基づいた通信が許可されたＵＥ１０は、ＩＭＳＩを用いてＩｓｏｌａｔｅｄ  Ｅ−ＵＴＲＡＮアタッチ手続きを完了する。
【０２４２】
［１．３．２．２．ＩＭＥＩの拡張］
以下では、Ｉｓｏｌａｔｅｄ  ｃａｐａｂｌｉｔｙ  Ｅ−ＵＴＲＡＮ８０に接続可能な端末及び／又はＩｓｏｌａｔｅｄ  Ｅ−ＵＴＲＡＮ機能に基づいた通信が許可された端末を識別するＩＭＥＩを用いたＩｓｏｌａｔｅｄ  Ｅ−ＵＴＲＡＮアタッチ手続きを説明する。
【０２４３】
より具体的には、ＩＭＥＩを構成する機種識別コードＴＡＣがＩｓｏｌａｔｅｄ  Ｅ−ＵＴＲＡＮ機能が許可された端末装置に割り与えられるコードであってもよい。
【０２４４】
ｅＮＢ４５は１．３．１．１．で説明したように、通常状態において、Ｉｓｏｌａｔｅｄ  ｃａｐａｂｌｉｔｙ  Ｅ−ＵＴＲＡＮ８０に接続可能な端末及び／又はＩｓｏｌａｔｅｄ  Ｅ−ＵＴＲＡＮ機能に基づいた通信が許可された端末の情報をコアネットワーク７から取得し、記憶部に記憶しておいてもよい。より具体的には、これらの端末のＩＭＥＩを記憶しておいても良い。もしくは、端末個別のＩＭＥＩではなく、Ｉｓｏｌａｔｅｄ  ｃａｐａｂｉｌｉｔｙ  Ｅ−ＵＴＲＡＮ８０に接続可能な端末及び／又はＩｓｏｌａｔｅｄ  Ｅ−ＵＴＲＡＮ機能に基づいた通信が許可されたＴＡＣを記憶しても良い。
【０２４５】
ＵＥ１０は１．３．１の状態遷移の検出に基づいて、Ｉｓｏｌａｔｅｄ  ｃａｐａｂｌｉｔｙ  Ｅ−ＵＴＲＡＮ８０にアタッチ要求メッセージを送信する（Ｓ８０２）。アタッチ要求メッセージには、ＩＭＥＩが少なくとも含まれている。
【０２４６】
更にアタッチ要求メッセージには、ＡＰＮや、Ａｔｔａｃｈ  Ｔｙｐｅや、ＰＤＮ  Ｔｙｐｅが含まれていてもよい。
【０２４７】
ＩＭＥＩは、Ｉｓｏｌａｔｅｄ  ｃａｐａｂｌｉｔｙ  Ｅ−ＵＴＲＡＮ８０に接続可能な端末及び／又はＩｓｏｌａｔｅｄ  Ｅ−ＵＴＲＡＮ機能に基づいた通信が許可された端末を識別するＩＭＥＩであってもよい。なお、ＩＭＥＩは、Ｉｓｏｌａｔｅｄ  ｃａｐａｂｌｉｔｙ  Ｅ−ＵＴＲＡＮ８０に接続可能な端末及び／又はＩｓｏｌａｔｅｄ  Ｅ−ＵＴＲＡＮ機能に基づいた通信が許可されたＴＡＣを含めたＩＭＥＩであってよい。
【０２４８】
ここで、ＵＥ１０は、Ｉｓｏｌａｔｅｄ  ｃａｐａｂｌｉｔｙ  Ｅ−ＵＴＲＡＮ８０に接続可能な端末及び／又はＩｓｏｌａｔｅｄ  Ｅ−ＵＴＲＡＮ機能に基づいた通信が許可された端末を識別するＩＭＥＩと、Ｉｓｏｌａｔｅｄ  ｃａｐａｂｉｌｉｔｙ  Ｅ−ＵＴＲＡＮ８０に接続可能な端末及び／又はＩｓｏｌａｔｅｄ  Ｅ−ＵＴＲＡＮ機能に基づいた通信が許可されていないＩＭＥＩを記憶しておいても良く、Ｉｓｏｌａｔｅｄ  Ｅ−ＵＴＲＡＮ状態を検出したことに基づいて、ＩＭＥＩを選択してもよい。ここで、ＵＥ１０は、Ｉｓｏｌａｔｅｄ  ｃａｐａｂｌｉｔｙ  Ｅ−ＵＴＲＡＮ８０に接続可能な端末及び／又はＩｓｏｌａｔｅｄ  Ｅ−ＵＴＲＡＮ機能に基づいた通信が許可された端末を識別するＩＭＥＩを選択してもよい。
【０２４９】
Ａｔｔａｃｈ  ＴｙｐｅにＩｓｏｌａｔｅｄ  Ｅ−ＵＴＲＡＮアタッチ手続きを識別するための情報を含めてもよい。
【０２５０】
ＡＰＮは初期状態のアタッチ手続きで使用されたＡＰＮと等しくてもよい。
【０２５１】
なお、ＵＥ１０がＩｓｏｌａｔｅｄ  Ｅ−ＵＴＲＡＮ機能に基づいた通信が許可された端末を識別するためのＩＭＥＩを記憶していない場合、ＵＥ１０はアタッチ要求を送信しなくてもよい。
【０２５２】
Ｉｓｏｌａｔｅｄ  ｃａｐａｂｌｉｔｙ  Ｅ−ＵＴＲＡＮ８０はＵＥ１０からアタッチ要求メッセージを受信する。Ｉｓｏｌａｔｅｄ  ｃａｐａｂｌｉｔｙ  Ｅ−ＵＴＲＡＮ８０に含まれるｅＮＢ４５がアタッチ要求メッセージを受信してもよい。
【０２５３】
ｅＮＢ４５は記憶部のＩｓｏｌａｔｅｄ  Ｅ−ＵＴＲＡＮ機能に基づいた通信許可識別情報に基づき、メッセージの送信元ＵＥ１０がＩｓｏｌａｔｅｄ  Ｅ−ＵＴＲＡＮ機能に基づいた通信が許可された端末であると認証する為の認証処理を実行する（Ｓ８０４）。
【０２５４】
つまり、ｅＮＢ４５はＵＥ１０からの受信メッセージに含まれるＩＭＥＩを構成するＴＡＣがＩｓｏｌａｔｅｄ  Ｅ−ＵＴＲＡＮ機能に基づいた通信が許可された端末であることを識別する情報であることを基に、ＵＥ１０からのＩｓｏｌａｔｅ  Ｅ−ＵＴＲＡＮアタッチ要求を認証するための手続きを開始する。
【０２５５】
ｅＮＢ４５は認証処理に基づき、Ｉ−ＭＭＥ４６を選択してもよい。Ｉ−ＭＭＥ４６の選択方法は、例えばｅＮＢ４５との物理的な距離に基づいて決定してもよい。具体的には、ｅＮＢ４５から最も近いＩ−ＭＭＥ４６を選択してもよい。もしくは、ｅＮＢ４５は、Ｉｓｏｌａｔｅｄ  Ｅ−ＵＴＲＡＮ状態において選択するＭＭＥの情報を予め保持しておき、保持する情報に基づいてＩ−ＭＭＥ４６を選択してもよい。
【０２５６】
ｅＮＢ４５は選択したＩ−ＭＭＥ４６にアタッチ要求メッセージを転送する。Ｉ−ＭＭＥ４６はｅＮＢ４５からアタッチ要求メッセージを受信し、Ｉｓｏｌａｔｅｄ  Ｅ−ＵＴＲＡＮ機能に基づいた通信許可識別情報に基づき、メッセージの送信元ＵＥ１０がＩｓｏｌａｔｅｄ  Ｅ−ＵＴＲＡＮ機能に基づいた通信が許可された端末であると認証する。
【０２５７】
Ｉ−ＭＭＥ４６は、１．３．１．１．で説明したように、通常状態において、Ｉｓｏｌａｔｅｄ  ｃａｐａｂｌｉｔｙ  Ｅ−ＵＴＲＡＮ８０に接続可能な端末及び／又はＩｓｏｌａｔｅｄ  Ｅ−ＵＴＲＡＮ機能に基づいた通信が許可された端末の情報をコアネットワーク７から取得し、記憶部に記憶しておいてもよい。より具体的には、これらの端末のＩＭＥＩを記憶しておいても良い。もしくは、端末個別のＩＭＥＩではなく、Ｉｓｏｌａｔｅｄ  ｃａｐａｂｌｉｔｙ  Ｅ−ＵＴＲＡＮ８０に接続可能な端末及び／又はＩｓｏｌａｔｅｄ  Ｅ−ＵＴＲＡＮ機能に基づいた通信が許可されたＴＡＣを記憶しても良い。
【０２５８】
もしくは、Ｉ−ＭＭＥ４６は、１．３．１．１．に記載した方法により取得した、Ｉｓｏｌａｔｅｄ  ｃａｐａｂｌｉｔｙ  Ｅ−ＵＴＲＡＮ８０に接続及び／又はＩｓｏｌａｔｅｄ  Ｅ−ＵＴＲＡＮ機能に基づいた通信を許可するＴＡＣに基づいて、ＵＥ１０の認証を決定しても良い。
【０２５９】
より詳細には、ＵＥ２０がアタッチ要求メッセージに含めて送信するＩＭＳＩに含まれるＴＡＣが、Ｉｓｏｌａｔｅｄ  ｃａｐａｂｌｉｔｙ  Ｅ−ＵＴＲＡＮ８０に接続及び／又はＩｓｏｌａｔｅｄ  Ｅ−ＵＴＲＡＮ機能に基づいた通信を許可するＴＡＣであることに基づいて認証を決定しても良い。
【０２６０】
このように、Ｉ−ＭＭＥ４６は、ＭＭＥ４０から取得した情報に基づいて、アタッチ要求メッセージを送信する端末に対して、Ｉｓｏｌａｔｅｄ  ｃａｐａｂｌｉｔｙ  Ｅ−ＵＴＲＡＮ８０に接続及び／又はＩｓｏｌａｔｅｄ  Ｅ−ＵＴＲＡＮ機能に基づいた通信を認証してもよい。
【０２６１】
さらに、Ｉ−ＭＭＥ４６は、アタッチ要求メッセージの受信に伴い、ＬＧＷ４７の選択をする。
【０２６２】
Ｉ−ＭＭＥ４６は選択したＬＧＷ４７に、セッション確立メッセージを送信し、ＬＧＷ４７にＵＥ１０の管理情報を記憶することを要求する。
【０２６３】
メッセージには、ＵＥ１０のＩＭＳＩや、ＭＳＩＳＤＮや、制御信号用のＩ−ＭＭＥ４６のＴＥＩＤや、ＡＰＮや、ＱｏＳや、ＰＤＮ  Ｔｙｐｅや、ＭＥ  Ｉｄｅｎｔｉｔｙなどを含めてもよい。
【０２６４】
ＬＧＷ４７は、Ｉ−ＭＭＥ４６のセッション確立要求メッセージの受信に基づき、ＬＧＷ４７が管理するＵＥ１０の管理情報を更新してもよい。さらに、ＵＥ１０に対してＩＰアドレスを割り当てる。
【０２６５】
次に、ＬＧＷ４７はＩ−ＭＭＥ４６にセッション確立応答メッセージを送信する。応答メッセージには、ＵＥ１０のＩＰアドレスや、ＬＧＷのＩＰアドレス、ＬＧＷのＴＥＩＤなどを含めてもよい。
【０２６６】
Ｉ−ＭＭＥ４６は、ＬＧＷ４７から受信したメッセージを基にｅＮＢ４５にアタッチアクセプトメッセージを送信する。
【０２６７】
ここで、アタッチアクセプトメッセージは、Ｉｓｏｌａｔｅｄ  ｃａｐａｂｌｉｔｙ  Ｅ−ＵＴＲＡＮ８０に接続及び／又はＩｓｏｌａｔｅｄ  Ｅ−ＵＴＲＡＮ機能に基づいた通信を認証したことを示す制御情報であってよい。もしくは、Ｉｓｏｌａｔｅｄ  Ｅ−ＵＴＲＡＮ状態で通信可能なＰＤＮコネクションを確立したことを示すメッセージであっても良い。
【０２６８】
以上の手続きを完了後、Ｉ−ＭＭＥ４６を含めるＩｓｏｌａｔｅｄ  ｃａｐａｂｌｉｔｙ  Ｅ−ＵＴＲＡＮ８０はＵＥ１０にアタッチアクセプトメッセージを送信する（Ｓ８０６）。アタッチアクセプトメッセージはＩ−ＭＭＥ４６がｅＮＢ４５を介してＵＥ１０に送信する制御メッセージであってよい。
【０２６９】
この時、Ｉ−ＭＭＥ４７がセッション確立応答メッセージの受信に基づいて、ｅＮＢ４５を介してＵＥ１０にアタッチアクセプトメッセージを送信してもよい。
【０２７０】
アタッチアクセプトメッセージには、ＡＰＮやＧＵＴＩやＰＤＮアドレスを含めてもよい。
【０２７１】
ＡＰＮはＵＥ１０が要求したＡＰＮであってもよいし、又は新しいＡＰＮが割り与えられてもよい。
【０２７２】
ＧＵＴＩは、Ｉ−ＭＭＥ４６が割り当てたＵＥ１０の一時的な識別情報である。
【０２７３】
ＰＤＮアドレスは、ＬＧＷ４７がＵＥ１０に割り当てたＩＰアドレスである。初期状態のアタッチ手続きにおいてＰＧＷがＵＥ１０に割り当てたＩＰアドレスと等しくてもよい。
【０２７４】
この時、Ｉ−ＭＭＥ４６はｅＮＢ４５へ送信するアタッチアクセプトメッセージに、ＬＧＷ４７のＩＰアドレス及びＴＥＩＤを含めてもよい。ｅＮＢ４５はアタッチアクセプトメッセージに含まれるＬＧＷ４７のＩＰアドレスとＴＥＩＤを取得し、記憶部に記憶する。
【０２７５】
Ｉｓｏｌａｔｅｄ  ｃａｐａｂｌｉｔｙ  Ｅ−ＵＴＲＡＮ８０がＵＥ１０に送信するアタッチアクセプトメッセージは、レイヤ２のＲＲＣ接続再確立メッセージであってもよい。
【０２７６】
ＵＥ１０は従来のアタッチ手続きと同様に、アタッチアクセプトメッセージの受信に伴い、ＲＲＣ再構成完了メッセージと、アタッチ完了メッセージをＩｓｏｌａｔｅｄ  ｃａｐａｂｌｉｔｙ  Ｅ−ＵＴＲＡＮ８０に送信する。
【０２７７】
以上により、Ｉｓｏｌａｔｅｄ  Ｅ−ＵＴＲＡＮ機能に基づいた通信が許可されたＵＥ１０は、拡張されたＩＭＥＩを用いてＩｓｏｌａｔｅｄ  Ｅ−ＵＴＲＡＮアタッチ手続きを完了する。
【０２７８】
［１．３．２．３．ＧＵＴＩの拡張］
以下では、Ｉｓｏｌａｔｅｄ  ｃａｐａｂｌｉｔｙ  Ｅ−ＵＴＲＡＮ８０に接続可能な端末及び／又はＩｓｏｌａｔｅｄ  Ｅ−ＵＴＲＡＮ機能に基づいた通信が許可された端末を識別するＧＵＴＩを用いたＩｓｏｌａｔｅｄ  Ｅ−ＵＴＲＡＮアタッチ手続きを説明する。
【０２７９】
より具体的にはＧＵＴＩは、Ｉｓｏｌａｔｅ  Ｅ−ＵＴＲＡＮ機能に基づいた通信が許可された端末に割り当てられる特定の値で構成された識別情報、又はＧＵＴＩが空（ＮＵＬＬ）であってよい。
【０２８０】
更に、ＧＵＴＩを構成するＭＣＣ及び／又はＭＮＣ及び／又はＭＭＥ  Ｇｒｏｕｐ  ＩＤ及び／又はＭＭＥ  ｃｏｄｅがＩｓｏｌａｔｅｄ  Ｅ−ＵＴＲＡＮ機能が許可された端末装置に割り与えられる特定のコードであってもよい。又はＧＵＴＩは空（ＮＵＬＬ）であってもよい。
【０２８１】
ｅＮＢ４５１．３．１．１．で説明したように、通常状態において、Ｉｓｏｌａｔｅｄ  ｃａｐａｂｌｉｔｙ  Ｅ−ＵＴＲＡＮ８０に接続可能な端末及び／又はＩｓｏｌａｔｅｄ  Ｅ−ＵＴＲＡＮ機能に基づいた通信が許可された端末の情報をコアネットワーク７から取得し、記憶部に記憶しておいてもよい。より具体的には、これらの端末のＧＵＴＩを記憶しておいても良い。もしくは、端末個別のＧＵＴＩではなく、Ｉｓｏｌａｔｅｄ  ｃａｐａｂｉｌｉｔｙ  Ｅ−ＵＴＲＡＮ８０に接続可能な端末及び／又はＩｓｏｌａｔｅｄ  Ｅ−ＵＴＲＡＮ機能に基づいた通信が許可されたＭＣＣ及び／又はＭＮＣ及び／又はＭＭＥ  Ｇｒｏｕｐ  ＩＤ及び／又はＭＭＥ  ｃｏｄｅを記憶しても良い。
【０２８２】
ＵＥ１０は１．３．１の状態遷移の検出に基づいて、Ｉｓｏｌａｔｅｄ  ｃａｐａｂｌｉｔｙ  Ｅ−ＵＴＲＡＮ８０にアタッチ要求メッセージを送信する（Ｓ８０２）。アタッチ要求メッセージには、ＧＵＴＩが少なくとも含まれている。更にアタッチ要求メッセージには、ＡＰＮや、Ａｔｔａｃｈ  Ｔｙｐｅや、ＰＤＮ  Ｔｙｐｅが含まれていてもよい。
【０２８３】
ＧＵＴＩは、Ｉｓｏｌａｔｅｄ  ｃａｐａｂｌｉｔｙ  Ｅ−ＵＴＲＡＮ８０に接続可能な端末及び／又はＩｓｏｌａｔｅｄ  Ｅ−ＵＴＲＡＮ機能に基づいた通信が許可された端末を識別するＧＵＴＩであってもよい。なお、ＧＵＴＩは、Ｉｓｏｌａｔｅｄ  ｃａｐａｂｌｉｔｙ  Ｅ−ＵＴＲＡＮ８０に接続可能な端末及び／又はＩｓｏｌａｔｅｄ  Ｅ−ＵＴＲＡＮ機能に基づいた通信が許可されたＭＣＣ及び／又はＭＮＣ及び／又はＭＭＥ  Ｇｒｏｕｐ  ＩＤ及び／又はＭＭＥ  ｃｏｄｅを含めたＧＵＴＩであってよい。又はＧＵＴＩは空（ＮＵＬＬ）であってもよい。
【０２８４】
ここで、ＵＥ１０は、Ｉｓｏｌａｔｅｄ  ｃａｐａｂｌｉｔｙ  Ｅ−ＵＴＲＡＮ８０に接続可能な端末及び／又はＩｓｏｌａｔｅｄ  Ｅ−ＵＴＲＡＮ機能に基づいた通信が許可された端末を識別するＧＵＴＩと、Ｉｓｏｌａｔｅｄ  ｃａｐａｂｉｌｉｔｙ  Ｅ−ＵＴＲＡＮ８０に接続可能な端末及び／又はＩｓｏｌａｔｅｄ  Ｅ−ＵＴＲＡＮ機能に基づいた通信が許可されていないＧＵＴＩを記憶しておいても良く、Ｉｓｏｌａｔｅｄ  Ｅ−ＵＴＲＡＮ状態を検出したことに基づいて、ＧＵＴＩを選択してもよい。ここで、ＵＥ１０は、Ｉｓｏｌａｔｅｄ  ｃａｐａｂｌｉｔｙ  Ｅ−ＵＴＲＡＮ８０に接続可能な端末及び／又はＩｓｏｌａｔｅｄ  Ｅ−ＵＴＲＡＮ機能に基づいた通信が許可された端末を識別するＧＵＴＩを選択してもよい。
【０２８５】
Ａｔｔａｃｈ  ＴｙｐｅにＩｓｏｌａｔｅｄ  Ｅ−ＵＴＲＡＮアタッチ手続きを識別するための情報を含めてもよい。
【０２８６】
ＡＰＮは初期状態のアタッチ手続きで使用されたＡＰＮと等しくてもよい。
【０２８７】
なお、ＵＥ１０がＩｓｏｌａｔｅｄ  Ｅ−ＵＴＲＡＮ機能に基づいた通信が許可された端末を識別するためのＧＵＴＩを記憶していない場合、ＵＥ１０はアタッチ要求を送信しなくてもよい。
【０２８８】
Ｉｓｏｌａｔｅｄ  ｃａｐａｂｌｉｔｙ  Ｅ−ＵＴＲＡＮ８０はＵＥ１０からアタッチ要求メッセージを受信する。Ｉｓｏｌａｔｅｄ  ｃａｐａｂｌｉｔｙ  Ｅ−ＵＴＲＡＮ８０に含まれるｅＮＢ４５がアタッチ要求メッセージを受信してもよい。
【０２８９】
ｅＮＢ４５は記憶部のＩｓｏｌａｔｅｄ  Ｅ−ＵＴＲＡＮ機能に基づいた通信許可識別情報に基づき、メッセージの送信元ＵＥ１０がＩｓｏｌａｔｅｄ  Ｅ−ＵＴＲＡＮ機能に基づいた通信が許可された端末であると認証する為の認証処理を実行する（Ｓ８０４）。
【０２９０】
つまり、ｅＮＢ４５はＵＥ１０からの受信メッセージに含まれるＧＵＴＩを構成するＭＣＣ及び／又はＭＮＣ及び／又はＭＭＥ  Ｇｒｏｕｐ  ＩＤ及び／又はＭＭＥ  ｃｏｄｅがＩｓｏｌａｔｅｄ  Ｅ−ＵＴＲＡＮ機能に基づいた通信が許可された端末であることを識別する情報であることを基に、又はＧＵＴＩが空（ＮＵＬＬ）であることを基に、ＵＥ１０からのＩｓｏｌａｔｅ  Ｅ−ＵＴＲＡＮアタッチ要求を認証する為の手続きを開始する。
【０２９１】
ｅＮＢ４５は認証処理に基づき、Ｉ−ＭＭＥ４６を選択してもよい。Ｉ−ＭＭＥ４６の選択方法は、例えばｅＮＢ４５との物理的な距離に基づいて決定してもよい。具体的には、ｅＮＢ４５から最も近いＩ−ＭＭＥ４６を選択してもよい。もしくは、ｅＮＢ４５は、Ｉｓｏｌａｔｅｄ  Ｅ−ＵＴＲＡＮ状態において選択するＭＭＥの情報を予め保持しておき、保持する情報に基づいてＩ−ＭＭＥ４６を選択してもよい。
【０２９２】
ｅＮＢ４５は選択したＩ−ＭＭＥ４６にアタッチ要求メッセージを転送する。Ｉ−ＭＭＥ４６はｅＮＢ４５からアタッチ要求メッセージを受信し、Ｉｓｏｌａｔｅｄ  Ｅ−ＵＴＲＡＮ機能に基づいた通信許可識別情報に基づき、メッセージの送信元ＵＥ１０がＩｓｏｌａｔｅｄ  Ｅ−ＵＴＲＡＮ機能に基づいた通信が許可された端末であると認証する。
【０２９３】
Ｉ−ＭＭＥ４６は、１．３．１．１．で説明したように、通常状態において、Ｉｓｏｌａｔｅｄ  ｃａｐａｂｌｉｔｙ  Ｅ−ＵＴＲＡＮ８０に接続可能な端末及び／又はＩｓｏｌａｔｅｄ  Ｅ−ＵＴＲＡＮ機能に基づいた通信が許可された端末の情報をコアネットワーク７から取得し、記憶部に記憶しておいてもよい。より具体的には、これらの端末のＧＵＴＩを記憶しておいても良い。もしくは、端末個別のＧＵＴＩではなく、Ｉｓｏｌａｔｅｄ  ｃａｐａｂｌｉｔｙ  Ｅ−ＵＴＲＡＮ８０に接続可能な端末及び／又はＩｓｏｌａｔｅｄ  Ｅ−ＵＴＲＡＮ機能に基づいた通信が許可されたＭＣＣ及び／又はＭＮＣ及び／又はＭＭＥ  Ｇｒｏｕｐ  ＩＤ及び／又はＭＭＥ  ｃｏｄｅを記憶しても良い。
【０２９４】
もしくは、Ｉ−ＭＭＥ４６は、１．３．１．１．に記載した方法により取得した、Ｉｓｏｌａｔｅｄ  ｃａｐａｂｌｉｔｙ  Ｅ−ＵＴＲＡＮ８０に接続及び／又はＩｓｏｌａｔｅｄ  Ｅ−ＵＴＲＡＮ機能に基づいた通信を許可するＭＣＣ及び／又はＭＮＣ及び／又はＭＭＥ  Ｇｒｏｕｐ  ＩＤ及び／又はＭＭＥ  ｃｏｄｅに基づいて、ＵＥ１０の認証を決定しても良い。
【０２９５】
より詳細には、ＵＥ２０がアタッチ要求メッセージに含めて送信するＧＵＴＩに含まれるＭＣＣ及び／又はＭＮＣ及び／又はＭＭＥ  Ｇｒｏｕｐ  ＩＤ及び／又はＭＭＥ  ｃｏｄｅが、Ｉｓｏｌａｔｅｄ  ｃａｐａｂｌｉｔｙ  Ｅ−ＵＴＲＡＮ８０に接続及び／又はＩｓｏｌａｔｅｄ  Ｅ−ＵＴＲＡＮ機能に基づいた通信を許可するＭＣＣ及び／又はＭＮＣ及び／又はＭＭＥ  Ｇｒｏｕｐ  ＩＤ及び／又はＭＭＥ  ｃｏｄｅであることに基づいて認証を決定しても良い。
【０２９６】
このように、Ｉ−ＭＭＥ４６は、ＭＭＥ４０から取得した情報に基づいて、アタッチ要求メッセージを送信する端末に対して、Ｉｓｏｌａｔｅｄ  ｃａｐａｂｌｉｔｙ  Ｅ−ＵＴＲＡＮ８０に接続及び／又はＩｓｏｌａｔｅｄ  Ｅ−ＵＴＲＡＮ機能に基づいた通信を認証してもよい。
【０２９７】
さらに、Ｉ−ＭＭＥ４６は、アタッチ要求メッセージの受信に伴い、ＬＧＷ４７の選択をする。
【０２９８】
Ｉ−ＭＭＥ４６は選択したＬＧＷ４７に、セッション確立メッセージを送信し、ＬＧＷ４７にＵＥ１０の管理情報を記憶することを要求する。
【０２９９】
メッセージには、ＵＥ１０のＩＭＳＩや、ＭＳＩＳＤＮや、制御信号用のＩ−ＭＭＥ４６のＴＥＩＤや、ＡＰＮや、ＱｏＳや、ＰＤＮ  Ｔｙｐｅや、ＭＥ  Ｉｄｅｎｔｉｔｙなどを含めてもよい。
【０３００】
ＬＧＷ４７は、Ｉ−ＭＭＥ４６のセッション確立要求メッセージの受信に基づき、ＬＧＷ４７が管理するＵＥ１０の管理情報を更新してもよい。さらに、ＵＥ１０に対してＩＰアドレスを割り当てる。
【０３０１】
次に、ＬＧＷ４７はＩ−ＭＭＥ４６にセッション確立応答メッセージを送信する。応答メッセージには、ＵＥ１０のＩＰアドレスや、ＬＧＷのＩＰアドレス、ＬＧＷのＴＥＩＤなどを含めてもよい。
【０３０２】
Ｉ−ＭＭＥ４６は、ＬＧＷ４７から受信したメッセージを基にｅＮＢ４５にアタッチアクセプトメッセージを送信する。
【０３０３】
ここで、アタッチアクセプトメッセージは、Ｉｓｏｌａｔｅｄ  ｃａｐａｂｌｉｔｙ  Ｅ−ＵＴＲＡＮ８０に接続及び／又はＩｓｏｌａｔｅｄ  Ｅ−ＵＴＲＡＮ機能に基づいた通信を認証したことを示す制御情報であってよい。もしくは、Ｉｓｏｌａｔｅｄ  Ｅ−ＵＴＲＡＮ状態で通信可能なＰＤＮコネクションを確立したことを示すメッセージであっても良い。
【０３０４】
以上の手続きを完了後、Ｉ−ＭＭＥ４６を含めるＩｓｏｌａｔｅｄ  ｃａｐａｂｌｉｔｙ  Ｅ−ＵＴＲＡＮ８０はＵＥ１０にアタッチアクセプトメッセージを送信する（Ｓ８０６）。アタッチアクセプトメッセージはＩ−ＭＭＥ４６がｅＮＢ４５を介してＵＥ１０に送信する制御メッセージであってよい。
【０３０５】
この時、Ｉ−ＭＭＥ４７がセッション確立応答メッセージの受信に基づいて、ｅＮＢ４５を介してＵＥ１０にアタッチアクセプトメッセージを送信してもよい。
【０３０６】
アタッチアクセプトメッセージには、ＡＰＮやＧＵＴＩやＰＤＮアドレスを含めてもよい。
【０３０７】
ＡＰＮはＵＥ１０が要求したＡＰＮであってもよいし、又は新しいＡＰＮが割り与えられてもよい。
【０３０８】
ＧＵＴＩは、Ｉ−ＭＭＥ４６が割り当てたＵＥ１０の一時的な識別情報である。
【０３０９】
ＰＤＮアドレスは、ＬＧＷ４７がＵＥ１０に割り当てたＩＰアドレスである。初期状態のアタッチ手続きにおいてＰＧＷがＵＥ１０に割り当てたＩＰアドレスと等しくてもよい。
【０３１０】
この時、Ｉ−ＭＭＥ４６はｅＮＢ４５へ送信するアタッチアクセプトメッセージに、ＬＧＷ４７のＩＰアドレス及びＴＥＩＤを含めてもよい。ｅＮＢ４５はアタッチアクセプトメッセージに含まれるＬＧＷ４７のＩＰアドレスとＴＥＩＤを取得し、記憶部に記憶する。
【０３１１】
Ｉｓｏｌａｔｅｄ  ｃａｐａｂｌｉｔｙ  Ｅ−ＵＴＲＡＮ８０がＵＥ１０に送信するアタッチアクセプトメッセージは、レイヤ２のＲＲＣ接続再確立メッセージであってもよい。
【０３１２】
ＵＥ１０は従来のアタッチ手続きと同様に、アタッチアクセプトメッセージの受信に伴い、ＲＲＣ再構成完了メッセージと、アタッチ完了メッセージをＩｓｏｌａｔｅｄ  ｃａｐａｂｌｉｔｙ  Ｅ−ＵＴＲＡＮ８０に送信する。
【０３１３】
以上により、Ｉｓｏｌａｔｅｄ  Ｅ−ＵＴＲＡＮ機能に基づいた通信が許可されたＵＥ１０は、拡張されたＧＵＴＩを用いてＩｓｏｌａｔｅｄ  Ｅ−ＵＴＲＡＮアタッチ手続きを完了する。
【０３１４】
［１．３．３．ＴＡＵ手続き］
１．３．１．で説明したように、ＵＥ１０はＩｓｏｌａｔｅｄ  ｃａｐａｂｌｉｔｙ  Ｅ−ＵＴＲＡＮ８０又はコアネットワーク７から、通知メッセージを受信する。
【０３１５】
通知メッセージが、ＴＡＵ手続きの開始を要求するメッセージである場合、ＵＥ１０はメッセージの受信に伴いＴＡＵ手続きを開始する。
【０３１６】
ｅＮＢ４５は１．３．１．１．で説明したように、通常状態において、Ｉｓｏｌａｔｅｄ  ｃａｐａｂｌｉｔｙ  Ｅ−ＵＴＲＡＮ８０に接続可能な端末及び／又はＩｓｏｌａｔｅｄ  Ｅ−ＵＴＲＡＮ機能に基づいた通信が許可された端末の情報をコアネットワーク７から取得し、記憶部に記憶しておいてもよい。より具体的には、これらの端末のＧＵＴＩを記憶しておいても良い。もしくは、端末個別のＧＵＴＩではなく、Ｉｓｏｌａｔｅｄ  ｃａｐａｂｉｌｉｔｙ  Ｅ−ＵＴＲＡＮ８０に接続可能な端末及び／又はＩｓｏｌａｔｅｄ  Ｅ−ＵＴＲＡＮ機能に基づいた通信が許可されたＭＣＣ及び／又はＭＮＣ及び／又はＭＭＥ  Ｇｒｏｕｐ  ＩＤ及び／又はＭＭＥ  ｃｏｄｅを記憶しても良い。
【０３１７】
以下、図９を用いてＩｓｏｌａｔｅｄ  Ｅ−ＵＴＲＡＮ状態のＩｓｏｌａｔｅｄ  ｃａｐａｂｌｉｔｙ  Ｅ−ＵＴＲＡＮ８０に接続するＵＥ１０のＩｓｏｌａｔｅｄ  Ｅ−ＵＴＲＡＮ  ＴＡＵ手続きについて説明する。
【０３１８】
ＵＥ１０は、通知メッセージの取得又はＴＡの移動に伴い、ｅＮＢ４５を含むＩｓｏｌａｔｅｄ  ｃａｐａｂｌｉｔｙ  Ｅ−ＵＴＲＡＮ８０にＴＡＵ要求メッセージを送信する（Ｓ９０２）。ＵＥ１０はｅＮＢ４５にＴＡＵ要求メッセージを送信してもよい。
【０３１９】
ＴＡＵ要求メッセージには少なくともＧＵＴＩを含める。
【０３２０】
ＧＵＴＩは、Ｉｓｏｌａｔｅｄ  ｃａｐａｂｌｉｔｙ  Ｅ−ＵＴＲＡＮ８０に接続可能な端末及び／又はＩｓｏｌａｔｅｄ  Ｅ−ＵＴＲＡＮ機能に基づいた通信が許可された端末を識別するＧＵＴＩであってもよい。なお、ＧＵＴＩは、Ｉｓｏｌａｔｅｄ  ｃａｐａｂｌｉｔｙ  Ｅ−ＵＴＲＡＮ８０に接続可能な端末及び／又はＩｓｏｌａｔｅｄ  Ｅ−ＵＴＲＡＮ機能に基づいた通信が許可されたＭＣＣ及び／又はＭＮＣ及び／又はＭＭＥ  Ｇｒｏｕｐ  ＩＤ及び／又はＭＭＥ  ｃｏｄｅを含めたＧＵＴＩであってよい。又はＧＵＴＩは空（ＮＵＬＬ）であってもよい。
【０３２１】
ここで、ＵＥ１０は、Ｉｓｏｌａｔｅｄ  ｃａｐａｂｌｉｔｙ  Ｅ−ＵＴＲＡＮ８０に接続可能な端末及び／又はＩｓｏｌａｔｅｄ  Ｅ−ＵＴＲＡＮ機能に基づいた通信が許可された端末を識別するＧＵＴＩと、Ｉｓｏｌａｔｅｄ  ｃａｐａｂｉｌｉｔｙ  Ｅ−ＵＴＲＡＮ８０に接続可能な端末及び／又はＩｓｏｌａｔｅｄ  Ｅ−ＵＴＲＡＮ機能に基づいた通信が許可されていないＧＵＴＩを記憶しておいても良く、Ｉｓｏｌａｔｅｄ  Ｅ−ＵＴＲＡＮ状態を検出したことに基づいて、ＧＵＴＩを選択してもよい。ここで、ＵＥ１０は、Ｉｓｏｌａｔｅｄ  ｃａｐａｂｌｉｔｙ  Ｅ−ＵＴＲＡＮ８０に接続可能な端末及び／又はＩｓｏｌａｔｅｄ  Ｅ−ＵＴＲＡＮ機能に基づいた通信が許可された端末を識別するＧＵＴＩを選択してもよい。  なお、ＵＥ１０がＩｓｏｌａｔｅｄ  Ｅ−ＵＴＲＡＮ機能に基づいた通信が許可された端末を識別するためのＧＵＴＩを記憶していない場合、ＵＥ１０はＴＡＵ要求を送信しなくてもよい
ｅＮＢ４５を含めるＩｓｏｌａｔｅｄ  ｃａｐａｂｌｉｔｙ  Ｅ−ＵＴＲＡＮ８０は、特定のＧＵＴＩを含むＴＡＵ要求メッセージを取得する。
【０３２２】
ｅＮＢ４５は、ＵＥ１０から取得したＴＡＵ要求メッセージに含まれるＧＵＴＩとＩｓｏｌａｔｅｄ  Ｅ−ＵＴＲＡＮ機能に基づいた通信許可識別情報をもとに、ＵＥ１０がＩｓｏｌａｔｅｄ  Ｅ−ＵＴＲＡＮ状態にＴＡＵをすることを認証する為の認証処理を実行する（Ｓ９０４）。
【０３２３】
具体的には、ｅＮＢ４５はＧＵＴＩに含まれるＭＣＣ及び／又はＭＮＣ及び／又はＭＭＥ  Ｇｒｏｕｐ  ＩＤ及び／又はＭＭＥ  ｃｏｄｅがＩｓｏｌａｔｅｄ  Ｅ−ＵＴＲＡＮ機能が許可された端末装置に割り与えられる特定のコードであることに基づいて、ＵＥ１０を認証の為の手続きを開始してもよい。
【０３２４】
又は、ｅＮＢ４５はＧＵＴＩが空（ＮＵＬＬ）であることに基づいてＵＥ１０をＩｓｏｌａｔｅｄ  Ｅ−ＵＴＲＡＮ機能に基づいた通信が許可された端末であることを認証の為の手続きを開始してもよい。
【０３２５】
ｅＮＢ４５は、Ｉ−ＭＭＥ４６にＴＡＵ要求メッセージを転送する。Ｉ−ＭＭＥ４６はＴＡＵ要求メッセージの受信に基づいて、Ｉｓｏｌａｔｅｄ  Ｅ−ＵＴＲＡＮ機能に基づいた通信許可識別情報に基づき、メッセージの送信元ＵＥ１０がＩｓｏｌａｔｅｄ  Ｅ−ＵＴＲＡＮ機能に基づいた通信が許可された端末であると認証する。
【０３２６】
Ｉ−ＭＭＥ４６は、１．３．１．１．で説明したように、通常状態において、Ｉｓｏｌａｔｅｄ  ｃａｐａｂｌｉｔｙ  Ｅ−ＵＴＲＡＮ８０に接続可能な端末及び／又はＩｓｏｌａｔｅｄ  Ｅ−ＵＴＲＡＮ機能に基づいた通信が許可された端末の情報をコアネットワーク７から取得し、記憶部に記憶しておいてもよい。より具体的には、これらの端末のＧＵＴＩを記憶しておいても良い。もしくは、端末個別のＧＵＴＩではなく、Ｉｓｏｌａｔｅｄ  ｃａｐａｂｌｉｔｙ  Ｅ−ＵＴＲＡＮ８０に接続可能な端末及び／又はＩｓｏｌａｔｅｄ  Ｅ−ＵＴＲＡＮ機能に基づいた通信が許可されたＭＣＣ及び／又はＭＮＣ及び／又はＭＭＥ  Ｇｒｏｕｐ  ＩＤ及び／又はＭＭＥ  ｃｏｄｅを記憶しても良い。
【０３２７】
このように、Ｉ−ＭＭＥ４６は、ＭＭＥ４０から取得した情報に基づいて、アタッチ要求メッセージを送信する端末に対して、Ｉｓｏｌａｔｅｄ  ｃａｐａｂｌｉｔｙ  Ｅ−ＵＴＲＡＮ８０に接続及び／又はＩｓｏｌａｔｅｄ  Ｅ−ＵＴＲＡＮ機能に基づいた通信を認証してもよい。
【０３２８】
もしくは、Ｉ−ＭＭＥ４６は、１．３．１．１．に記載した方法により取得した、Ｉｓｏｌａｔｅｄ  ｃａｐａｂｌｉｔｙ  Ｅ−ＵＴＲＡＮ８０に接続及び／又はＩｓｏｌａｔｅｄ  Ｅ−ＵＴＲＡＮ機能に基づいた通信を許可するＭＣＣ及び／又はＭＮＣ及び／又はＭＭＥ  Ｇｒｏｕｐ  ＩＤ及び／又はＭＭＥ  ｃｏｄｅに基づいて、ＵＥ１０の認証を決定しても良い。
【０３２９】
より詳細には、ＵＥ２０がＴＡＵ要求メッセージに含めて送信するＧＵＴＩに含まれるＭＣＣ及び／又はＭＮＣ及び／又はＭＭＥ  Ｇｒｏｕｐ  ＩＤ及び／又はＭＭＥ  ｃｏｄｅが、Ｉｓｏｌａｔｅｄ  ｃａｐａｂｌｉｔｙ  Ｅ−ＵＴＲＡＮ８０に接続及び／又はＩｓｏｌａｔｅｄ  Ｅ−ＵＴＲＡＮ機能に基づいた通信を許可するＭＣＣ及び／又はＭＮＣ及び／又はＭＭＥ  Ｇｒｏｕｐ  ＩＤ及び／又はＭＭＥ  ｃｏｄｅであることに基づいて認証を決定しても良い。
【０３３０】
Ｉ−ＭＭＥ４６は、ＵＥ１０の認証に伴い、ＵＥ１０のＴＡＩを更新する（Ｓ９０４）。
【０３３１】
ｅＮＢ４５とＩ−ＭＭＥ４６を含めるＩｓｏｌａｔｅｄ  ｃａｐａｂｌｉｔｙ  Ｅ−ＵＴＲＡＮ８０はＵＥ１０にＴＡＵアクセプトメッセージを送信する（Ｓ９０６）。
【０３３２】
ＴＡＵアクセプトメッセージはＴＡＵ要求メッセージに対する応答であり、ＧＵＴＩ、ＴＡＩリストを含めてもよい。
【０３３３】
ここで、ＴＡＵアクセプトメッセージは、Ｉｓｏｌａｔｅｄ  ｃａｐａｂｌｉｔｙ  Ｅ−ＵＴＲＡＮ８０に接続及び／又はＩｓｏｌａｔｅｄ  Ｅ−ＵＴＲＡＮ機能に基づいた通信を認証し、トラッキングエリアの更新をしたことを示す制御情報であってよい。  以上の手続きによりｅＮＢ４５は拡張されたＧＵＴＩを用いてＩｓｏｌａｔｅｄ  Ｅ−ＵＴＲＡＮ状態のＩｓｏｌａｔｅｄ  ｃａｐａｂｌｉｔｙ  Ｅ−ＵＴＲＡＮ８０とＴＡＵ手続きを行うＵＥ１０を認証できる。
【０３３４】
［１．３．４．拒絶手続き］
１．３．２．及び１．３．３．では、Ｉｓｏｌａｔｅｄ  Ｅ−ＵＴＲＡＮ機能に基づいた通信が許可された端末装置ＵＥ１０がアタッチ要求メッセージ又はＴＡＵ要求メッセージをＩｓｏｌａｔｅｄ  ｃａｐａｂｌｉｔｙ  Ｅ−ＵＴＲＡＮ８０に送信することによる手続きを示した。
【０３３５】
以下では、Ｉｓｏｌａｔｅｄ  Ｅ−ＵＴＲＡＮ機能に基づいた通信が許可されていないＵＥ２０よりアタッチ要求メッセージ、又はＴＡＵ要求メッセージがｅＮＢ４５に送信された場合の拒絶手続きについて説明する。
【０３３６】
図１０は、拒絶手続きを説明するための図である。
【０３３７】
ＵＥ２０は、Ｉｓｏｌａｔｅｄ  Ｅ−ＵＴＲＡＮ状態に遷移したＩｓｏｌａｔｅｄ  ｃａｐａｂｌｉｔｙ  Ｅ−ＵＴＲＡＮ８０に含まれるｅＮＢ４５にアタッチ要求メッセージ又はＴＡＵ要求メッセージを送信する（Ｓ１００２）。
【０３３８】
ＵＥ１０は、アタッチ要求メッセージ又はＴＡＵ要求メッセージは１．３．２．及び１．３．３．の手続きで説明した方法と同様の方法で、Ｉｓｏｌａｔｅｄ  ｃａｐａｂｌｉｔｙ  Ｅ−ＵＴＲＡＮ８０に送信してもよい。そのため、詳細な説明は省略する。
【０３３９】
先に説明したようにＵＥ２０はＩｓｏｌａｔｅｄ  Ｅ−ＵＴＲＡＮ機能に基づく通信が許可されていない端末である。そのため、ｅＮＢ４５は、アタッチ要求メッセージ又はＴＡＵ要求メッセージに含まれるＵＥの識別情報からＵＥ２０を認証しないことを決定する（Ｓ１００４）。
【０３４０】
ここで、認証処理では、Ｉｓｏｌａｔｅｄ  ｃａｐａｂｌｉｔｙ  Ｅ−ＵＴＲＡＮ８０に接続及び／又はＩｓｏｌａｔｅｄ  Ｅ−ＵＴＲＡＮ機能に基づいた通信を許可しないことを決定してもよい。
【０３４１】
より具体的には、Ｉ−ＭＭＥ４６は、ＵＥ２０の送信するＩＭＳＩ、又はＩＭＥＩ、又はＧＵＴIを基にＵＥ２０を認証しないことを決定してもよい。
【０３４２】
より具体的には、Ｉ−ＭＭＥ４６は、１．３．１．１．に記載した方法により取得した、Ｉｓｏｌａｔｅｄ  ｃａｐａｂｌｉｔｙ  Ｅ−ＵＴＲＡＮ８０に接続及び／又はＩｓｏｌａｔｅｄ  Ｅ−ＵＴＲＡＮ機能に基づいた通信を許可するＩＭＳＩ、又はＩＭＥＩ、又はＧＵＴＩに基づいて認証しないことを決定しても良い。より詳細には、ＵＥ２０がアタッチ要求メッセージ又はＴＡＵ要求メッセージに含めて送信するＩＭＳＩ、又はＩＭＥＩ、又はＧＵＴＩが、Ｉｓｏｌａｔｅｄ  ｃａｐａｂｌｉｔｙ  Ｅ−ＵＴＲＡＮ８０に接続及び／又はＩｓｏｌａｔｅｄ  Ｅ−ＵＴＲＡＮ機能に基づいた通信を許可するＩＭＳＩではないことに基づいて認証しないことを決定しても良い。
【０３４３】
もしくは、Ｉ−ＭＭＥ４６は、１．３．１．１．に記載した方法により取得した、Ｉｓｏｌａｔｅｄ  ｃａｐａｂｌｉｔｙ  Ｅ−ＵＴＲＡＮ８０に接続及び／又はＩｓｏｌａｔｅｄ  Ｅ−ＵＴＲＡＮ機能に基づいた通信を許可するＭＣＣ及び／又はＭＮＣに基づいて認証しないことを決定しても良い。
【０３４４】
より詳細には、ＵＥ２０がアタッチ要求メッセージに含めて送信するＩＭＳＩに含まれるＭＣＣ及び／又はＭＮＣが、Ｉｓｏｌａｔｅｄ  ｃａｐａｂｌｉｔｙ  Ｅ−ＵＴＲＡＮ８０に接続及び／又はＩｓｏｌａｔｅｄ  Ｅ−ＵＴＲＡＮ機能に基づいた通信を許可するＭＣＣ及び／又はＭＮＣではないことに基づいて認証しないことを決定しても良い。
【０３４５】
もしくは、Ｉ−ＭＭＥ４６は、１．３．１．１．に記載した方法により取得した、Ｉｓｏｌａｔｅｄ  ｃａｐａｂｌｉｔｙ  Ｅ−ＵＴＲＡＮ８０に接続及び／又はＩｓｏｌａｔｅｄ  Ｅ−ＵＴＲＡＮ機能に基づいた通信を許可するＴＡＣに基づいて認証しないことを決定しても良い。より詳細には、ＵＥ２０がアタッチ要求メッセージに含めて送信するＩＭＳＩに含まれるＴＡＣが、Ｉｓｏｌａｔｅｄ  ｃａｐａｂｌｉｔｙ  Ｅ−ＵＴＲＡＮ８０に接続及び／又はＩｓｏｌａｔｅｄ  Ｅ−ＵＴＲＡＮ機能に基づいた通信を許可するＴＡＣではないことに基づいて認証しないことを決定しても良い。
【０３４６】
もしくは、Ｉ−ＭＭＥ４６は、１．３．１．１．に記載した方法により取得した、Ｉｓｏｌａｔｅｄ  ｃａｐａｂｌｉｔｙ  Ｅ−ＵＴＲＡＮ８０に接続及び／又はＩｓｏｌａｔｅｄ  Ｅ−ＵＴＲＡＮ機能に基づいた通信を許可するＭＣＣ及び／又はＭＮＣ及び／又はＭＭＥ  Ｇｒｏｕｐ  ＩＤ及び／又はＭＭＥ  ｃｏｄｅに基づいて認証しないことを決定しても良い。より詳細には、ＵＥ２０がアタッチ要求メッセージ又はＴＡＵ要求メッセージに含めて送信するＧＵＴＩに含まれるＭＣＣ及び／又はＭＮＣ及び／又はＭＭＥ  Ｇｒｏｕｐ  ＩＤ及び／又はＭＭＥ  ｃｏｄｅが、Ｉｓｏｌａｔｅｄ  ｃａｐａｂｌｉｔｙ  Ｅ−ＵＴＲＡＮ８０に接続及び／又はＩｓｏｌａｔｅｄ  Ｅ−ＵＴＲＡＮ機能に基づいた通信を許可するＭＣＣ及び／又はＭＮＣ及び／又はＭＭＥ  Ｇｒｏｕｐ  ＩＤ及び／又はＭＭＥ  ｃｏｄｅではないことに基づいて認証しないことを決定しても良い。
【０３４７】
もしくは、Ｉ−ＭＭＥ４６は、１．３．１．１．に記載した方法により取得した、Ｉｓｏｌａｔｅｄ  ｃａｐａｂｌｉｔｙ  Ｅ−ＵＴＲＡＮ８０に接続及び／又はＩｓｏｌａｔｅｄ  Ｅ−ＵＴＲＡＮ機能に基づいた通信を許可するＧＵＴＩに基づいて認証しないことを決定しても良い。より詳細には、ＵＥ２０がアタッチ要求メッセージ又はＴＡＵ要求メッセージに含めて送信するＧＵＴＩが、Ｉｓｏｌａｔｅｄ  ｃａｐａｂｌｉｔｙ  Ｅ−ＵＴＲＡＮ８０に接続及び／又はＩｓｏｌａｔｅｄ  Ｅ−ＵＴＲＡＮ機能に基づいた通信を許可することを示すＮＵＬＬではないことに基づいて認証しないことを決定しても良い。ここでＧＵＴＩがＮＵＬＬとはＧＵＴＩの情報要素が０もしくは空であることをであってよい。
【０３４８】
さらに、Ｉｓｏｌａｔｅｄ  ｃａｐａｂｌｉｔｙ  Ｅ−ＵＴＲＡＮ８０はＵＥ２０に要求メッセージに対する拒絶メッセージを送信する（Ｓ１００６）。
【０３４９】
Ｉｓｏｌａｔｅｄ  ｃａｐａｂｌｉｔｙ  Ｅ−ＵＴＲＡＮ８０が受信したメッセージがアタッチ要求メッセージである場合、Ｉｓｏｌａｔｅｄ  ｃａｐａｂｌｉｔｙ  Ｅ−ＵＴＲＡＮ８０はＵＥ２０にアタッチリジェクトメッセージを送信する。
【０３５０】
より具体的には、Ｉ−ＭＭＥ４６は、ｅＮＢ４５にアタッチリジェクトメッセージを送信し、ｅＮＢ４５は受信したアタッチリジェクトメッセージをＵＥ２０に送信してもよい。このように、Ｉ−ＭＭＥ４６は、ｅＮＢ４５を介してアタッチリジェクトメッセージをＵＥ２０に送信してもよい。もしくは、Ｉ−ＭＭＥ４６は、ＵＥ２０にアタッチリジェクトメッセージを直接送信してもよい。
【０３５１】
又はＩｓｏｌａｔｅｄ  ｃａｐａｂｌｉｔｙ  Ｅ−ＵＴＲＡＮ８０が受信したメッセージがＴＡＵ要求メッセージである場合、Ｉｓｏｌａｔｅｄ  ｃａｐａｂｌｉｔｙ  Ｅ−ＵＴＲＡＮ８０はＵＥ２０にＴＡＵリジェクトメッセージを送信する。
【０３５２】
より具体的には、Ｉ−ＭＭＥ４６は、ｅＮＢ４５にＴＡＵリジェクトメッセージを送信し、ｅＮＢ４５は受信したＴＡＵリジェクトメッセージをＵＥ２０に送信してもよい。このように、Ｉ−ＭＭＥ４６は、ｅＮＢ４５を介してアタッチリジェクトメッセージをＵＥ２０に送信してもよい。もしくは、Ｉ−ＭＭＥ４６は、ＵＥ２０にＴＡＵリジェクトメッセージを直接送信してもよい。
【０３５３】
アタッチリジェクトメッセージ及びＴＡＵリジェクトメッセージには、拒絶メッセージであることを示す識別情報と、拒絶理由（Ｃａｕｓｅ  Ｖａｌｕｅ）が含まれている。ここで、拒絶理由は、拒絶する際の理由を示す情報であってよい。  例えば、拒絶理由は、従来規定されている理由であってよい。例えば、ＩＭＥＩ  ｎｏｔ  ａｃｃｅｐｔｅｄ、又はＥＰＳ  ｓｅｒｖｉｃｅｓ  ｎｏｔ  ａｌｌｏｗｅｄ、又はＥＰＳ  ｓｅｒｖｉｃｅｓ  ａｎｄ  ｎｏｎ−ＥＰＳ  ｓｅｒｖｉｃｅｓ  ｎｏｔ  ａｌｌｏｗｅｄ、又はＵＥ  ｉｄｅｎｔｉｔｙ  ｃａｎｎｏｔ  ｂｅ  ｄｅｒｉｖｅｄ  ｂｙ  ｔｈｅ  ｎｅｔｗｏｒｋ、又はＰＬＭＮ  ｎｏｔ  ａｌｌｏｗｅｄ、又はＴｒａｃｋｉｎｇ  Ａｒｅａ  ｎｏｔ  ａｌｌｏｗｅｄ、又はＥＰＳ  ｓｅｒｖｉｃｅｓ  ｎｏｔ  ａｌｌｏｗｅｄ  ｉｎ  ｔｈｉｓ  ＰＬＭＮ、又はＭＳＣ  ｔｅｍｐｏｒａｒｉｌｙ  ｎｏｔ  ｒｅａｃｈａｂｌｅ、又はＮｅｔｗｏｒｋ  ｆａｉｌｕｒｅ、又はＣＳ  ｄｏｍａｉｎ  ｎｏｔ  ａｖａｉｌａｂｌｅ、又はＵＥ  ｓｅｃｕｒｉｔｙ  ｃａｐａｂｉｌｉｔｉｅｓ  ｍｉｓｍａｔｃｈ、又はＳｅｖｅｒｅ  ｎｅｔｗｏｒｋ  ｆａｉｌｕｒｅであってよい。
【０３５４】
又は、拒絶理由はアクセスネットワークがＩｓｏｌａｔｅｄ  Ｅ−ＵＴＲＡＮ状態であることを示してもよいし、アタッチ要求メッセージもしくはＴＡＵ要求メッセージを送信する端末がＩｓｏｌａｔｅｄ  ｃａｐａｂｌｉｔｙ  Ｅ−ＵＴＲＡＮ８０に接続できないことを示す情報であってもよい。
【０３５５】
ＵＥ２０は、Ｉｓｏｌａｔｅｄ  ｃａｐａｂｌｉｔｙ  Ｅ−ＵＴＲＡＮ８０から拒絶メッセージを取得することにより、Ｉｓｏｌａｔｅｄ  ｃａｐａｂｌｉｔｙ  Ｅ−ＵＴＲＡＮ８０がＩｓｏｌａｔｅｄ  Ｅ−ＵＴＲＡＮ状態であることを確認し、アタッチ要求メッセージやＴＡＵ要求メッセージなどコアネットワークに接続性が必要なメッセージをＩｓｏｌａｔｅｄ  ｃａｐａｂｌｉｔｙ  Ｅ−ＵＴＲＡＮ８０に送信することを停止する。
【０３５６】
このように、ＵＥ２０は、アタッチリジェクトメッセージ及びＴＡＵリジェクトメッセージなどの拒絶通知メッセージの受信、及び／又は拒絶通知メッセージに含まれる理由情報に基づいて、Ｉｓｏｌａｔｅｄ  Ｅ−ＵＴＲＡＮ状態であることを検出してもよい。
【０３５７】
及び／又は、ＵＥ２０は、アタッチリジェクトメッセージ及びＴＡＵリジェクトメッセージなどの拒絶通知メッセージの受信、及び／又は拒絶通知メッセージに含まれる理由情報に基づいて、アタッチ要求メッセージもしくはＴＡＵ要求メッセージの再送を停止してもよい。
【０３５８】
及び／又は、ＵＥ２０は、アタッチリジェクトメッセージ及びＴＡＵリジェクトメッセージなどの拒絶通知メッセージの受信、及び／又は拒絶通知メッセージに含まれる理由情報に基づいて、アタッチ要求メッセージもしくはＴＡＵ要求メッセージの送信禁止状態に遷移してもよい。
【０３５９】
以上により、Ｉｓｏｌａｔｅｄ  Ｅ−ＵＴＲＡＮ機能に基づいた通信が許可されないＵＥ２０の要求メッセージはＩｓｏｌａｔｅｄ  ｃａｐａｂｌｉｔｙ  Ｅ−ＵＴＲＡＮ８０により拒絶される。これにより、Ｉｓｏｌａｔｅｄ  ｃａｐａｂｌｉｔｙ  Ｅ−ＵＴＲＡＮ８０は、緊急状態において端末に応じて接続を許可又はリジェクトすることができる。さらに、Ｉｓｏｌａｔｅｄ  Ｅ−ＵＴＡＲＡＮ８０に接続した端末は、Ｉｓｏｌａｔｅ  Ｅ−ＵＴＲＡＮ８０に接続する他の端末とＩｓｏｌａｔｅ  Ｅ−ＵＴＲＡＮ８０を介して通信することができる。
【０３６０】
［２．変形例］
また、各実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤの記憶装置に格納され、必要に応じてＣＰＵによって読み出し、修正・書き込みが行なわれる。
【０３６１】
ここで、プログラムを格納する記録媒体としては、半導体媒体（例えば、ＲＯＭや、不揮発性のメモリカード等）、光記録媒体・光磁気記録媒体（例えば、ＤＶＤ（Ｄｉｇｉｔａｌ  Ｖｅｒｓａｔｉｌｅ  Ｄｉｓｃ）、ＭＯ（Ｍａｇｎｅｔｏ  Ｏｐｔｉｃａｌ  Ｄｉｓｃ）、ＭＤ（Ｍｉｎｉ  Ｄｉｓｃ）、ＣＤ（Ｃｏｍｐａｃｔ  Ｄｉｓｃ）、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０３６２】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【０３６３】
また、上述した実施形態における各装置の一部又は全部を典型的には集積回路であるＬＳＩ（Ｌａｒｇｅ  Ｓｃａｌｅ  Ｉｎｔｅｇｒａｔｉｏｎ）として実現してもよい。各装置の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能であることは勿論である。
【０３６４】
また、上述した実施形態においては、無線アクセスネットワークの例としてＬＴＥと、ＷＬＡＮ（例えば、ＩＥＥＥ８０２．１１ａ／ｂ／ｎ等）とについて説明したが、ＷＬＡＮの代わりにＷｉＭＡＸによって接続されても良い。
【符号の説明】
【０３６５】
１  通信システム
２  バックホール
７  コアネットワーク
９  ＰＤＮ
１０  ＵＥ
２０  ＵＥ
３０  ＰＧＷ
３５  ＳＧＷ
４０  ＭＭＥ
４５  ｅＮＢ
４６  Ｉ−ＭＭＥ
４７  ＬＧＷ
５０  ＨＳＳ
５５  ＡＡＡ
６０  ＰＣＲＦ
６５  ｅＰＤＧ
７０  ＷＬＡＮ  ＡＮａ
７５  ＷＬＡＮ  ＡＮｂ
８０  Ｉｓｏｌａｔｅｄ  ｃａｐａｂｌｉｔｙ  Ｅ−ＵＴＲＡＮ
【図１】
2016117505.tif 000003
【図２】
2016117505.tif 000004
【図３】
2016117505.tif 000005
【図４】
2016117505.tif 000006
【図５】
2016117505.tif 000007
【図６】
2016117505.tif 000008
【図７】
2016117505.tif 000009
【図８】
2016117505.tif 000010
【図９】
2016117505.tif 000011
【図１０】
2016117505.tif 000012
【国際調査報告】
2016117505.tif 000013
2016117505.tif 000014
2016117505.tif 000015